(57)【要約】【課題】駆動手段に作用する負荷を軽減し得る遊技機を提供する。【解決手段】設置部材１９に、可動演出装置Ｅの装置本体１０４が回動自在に配設される。装置本体１０４は、回動中心から右下側に偏倚した位置に第２動作演出装置Ｎ２が配設される。これにより、装置本体１０４の重心位置は、回動中心から右側に偏倚している。設置部材１９と装置本体１０４との間に、装置本体１０４を反時計回りに回動するように付勢力を付与する第１引張りコイルバネ１４４が張架される。そして、第２動作演出装置Ｎ２の重量によって作用する装置本体１０４を時計方向に回転する力と、第１引張りコイルバネ１４４による装置本体１０４に作用する付勢力とが該装置本体１０４の原点位置で均衡を保つよう構成される。【選択図】図１３
2014239773.tif 000002
【特許請求の範囲】
【請求項１】
動作による演出を行う可動演出装置を備えた遊技機において、
重心から偏倚した位置で軸回りに揺動可能に支持された可動体と、
前記可動体を原点位置を挟んで軸回りの正転方向に揺動した第１位置および逆転方向に揺動した第２位置との間で移動させる駆動手段と、
前記可動体を軸回りの一方に移動する付勢力を付与可能な付勢手段とを備え、
前記可動体を軸回りの他方に移動する方向に加わる力と、前記付勢手段により可動体に作用する付勢力とが該可動体の原点位置で均衡を保つよう構成される
ことを特徴とする遊技機。
【請求項２】
前記可動体は、前後方向に軸線が延在する姿勢で揺動可能に支持され、
前記付勢手段は、前記可動体における揺動中心から重心が偏倚する側に連繋されて、該可動体の重心が下方に移動する方向に可動体が移動するにつれて付勢手段による可動体を原点位置に向けて付勢する付勢力が大きくなるよう構成される請求項１記載の遊技機。
【請求項３】
前記可動体は、原点位置から第１位置に向けて移動するにつれて重心が下方に移動すると共に、原点位置から第２位置に向けて移動するにつれて重心が上方に移動するよう構成され、前記可動体が原点位置から第２位置に移動するにつれて前記付勢手段による可動体を第２位置に向けて付勢する付勢力が小さくなるよう構成される請求項２記載の遊技機。
【請求項４】
前記可動体は、揺動中心から側方に偏倚する位置に演出装置を設けることで、当該可動体の重心が揺動中心から偏倚するよう構成される請求項１〜３の何れか一項に記載の遊技機。
【発明の詳細な説明】
【技術分野】
【０００１】
本発明は、駆動手段の駆動により移動される可動体を備える遊技機に関するものである。
【背景技術】
【０００２】
代表的な遊技機であるパチンコ機は、機内にセットされる遊技盤の盤面に画成した遊技領域の略中央位置に枠状の枠状装飾体(所謂センター役)が配設されて、該枠状装飾体の窓口から液晶式やドラム式等の図柄表示装置を臨ませ、この図柄表示装置で図柄変動に伴うリーチ演出等の各種の遊技演出を行うよう構成されている。また前記枠状装飾体に、所要の動作を行う可動体を備えた可動演出装置を配設し、該可動体を前記図柄表示装置で行われる遊技演出に合わせて動作させることにより、視覚的な演出効果を向上させ、遊技の興趣を高めるようにしたパチンコ機も知られている。例えば、特許文献１に記載された可動演出装置は、液晶画面の上辺や側辺の近傍に回転軸が位置するよう可動体が配設され、モータの駆動によって可動体が液晶画面の前側で揺動するよう構成されている。
【先行技術文献】
【特許文献】
【０００３】
【特許文献１】特開２００７−５４１４０号公報
【発明の概要】
【発明が解決しようとする課題】
【０００４】
特許文献１の可動演出装置における可動体は、長手方向の一端部に設けた回転軸を揺動中心として揺動するよう構成されているため、該可動体の重心は長手方向の他端部側(自由端部側)に偏倚している。このため、可動体の自由端部が揺動中心(回転軸)に対して側方に臨む位置で該可動体を停止保持する際には、回転軸に連繋するモータに可動体が自重によって下方に向けて回動する方向の負荷が加わるため、該モータの回転を阻止する機構等を設けなければならず、駆動機構が複雑となる問題がある。なお、モータの回転を阻止する機構を設ける場合は、モータを駆動して可動体を揺動させる際には該阻止する機構による回転阻止状態を解除する必要があるため、駆動機構がより複雑となってコストが嵩む難点がある。
【０００５】
また、可動体の自重による負荷がモータに掛かった状態で、該可動体を負荷が掛かる方向とは反対方向(上方)に向けて移動する際には大きな力が必要となり、モータとして出力の大きなものを用いなければならず、装置の大型化やコストの増大を招く問題が指摘される。
【０００６】
すなわち本発明は、従来の技術に係る遊技機に内在する前記課題に鑑み、これを好適に解決するべく提案されたものであって、駆動手段に作用する負荷を軽減し得る遊技機を提供することを目的とする。
【課題を解決するための手段】
【０００７】
前記課題を解決するために、本願の請求項１に記載の発明では、
動作による演出を行う可動演出装置(E)を備えた遊技機において、
重心から偏倚した位置で軸回りに揺動可能に支持された可動体(104)と、
前記可動体(104)を原点位置を挟んで軸回りの正転方向に揺動した第１位置および逆転方向に揺動した第２位置との間で移動させる駆動手段(105)と、
前記可動体(104)を軸回りの一方に移動する付勢力を付与可能な付勢手段(144)とを備え、
前記可動体(104)を軸回りの他方に移動する方向に加わる力と、前記付勢手段(144)により可動体(104)に作用する付勢力とが該可動体(104)の原点位置で均衡を保つよう構成されることを要旨とする。
【０００８】
請求項１の発明によれば、付勢手段の付勢力によって可動体を原点位置に保持し得るので、駆動手段の停止時に該駆動手段に可動体の荷重が作用することはなく、可動体を原点位置に停止した際に駆動手段に掛かる負荷を軽減し得る。すなわち、駆動手段の停止状態を維持するための複雑な機構を設ける必要はなく、構成を簡略化し得る。
【０００９】
請求項２に記載の発明では、前記可動体(104)は、前後方向に軸線が延在する姿勢で揺動可能に支持され、
前記付勢手段(144)は、前記可動体(104)における揺動中心から重心が偏倚する側に連繋されて、該可動体(104)の重心が下方に移動する方向に可動体(104)が移動するにつれて付勢手段(144)による可動体(104)を原点位置に向けて付勢する付勢力が大きくなるよう構成されることを要旨とする。
請求項２の発明によれば、重心が下方に移動する方向に可動体が移動するにつれて付勢手段による可動体を原点位置に向けて付勢する付勢力が大きくなるよう構成したので、該可動体を原点位置に戻す際には付勢手段による付勢力によって可動体の移動を補助することができるので、駆動手段の駆動力を軽減でき、小型の駆動手段を採用可能になる。
【００１０】
請求項３に記載の発明では、前記可動体(104)は、原点位置から第１位置に向けて移動するにつれて重心が下方に移動すると共に、原点位置から第２位置に向けて移動するにつれて重心が上方に移動するよう構成され、前記可動体(104)が原点位置から第２位置に移動するにつれて前記付勢手段(144)による可動体(104)を第２位置に向けて付勢する付勢力が小さくなるよう構成されることを要旨とする。
請求項３の発明によれば、可動体を原点位置から第２位置へ移動する際にも付勢手段の付勢力によって可動体の移動を補助し得るので、駆動手段の駆動力を軽減できる。また、可動体を第２位置から原点位置に移動する際には、可動体の自重が付勢手段の付勢力と均衡を保つ原点位置まで作用するので、可動体を第２位置から原点位置に移動する際に必要となる駆動手段の駆動力は小さくて済む。
【００１１】
請求項４に記載の発明では、前記可動体(104)は、揺動中心から側方に偏倚する位置に演出装置(N2)を設けることで、当該可動体(104)の重心が揺動中心から偏倚するよう構成されることを要旨とする。
請求項４の発明によれば、駆動手段に掛かる負荷を増大することなく可動体に演出装置を設けて、該演出装置によって演出効果を向上することができる。
【発明の効果】
【００１２】
本発明に係る遊技機によれば、駆動手段に作用する負荷を軽減することができる。
【図面の簡単な説明】
【００１３】
【図１】実施例に係るパチンコ機を示す正面図である。
【図２】実施例に係る遊技盤の正面図であって、可動演出装置の装置本体が原点位置に位置すると共に第１可動部材および第２可動部材が待機位置にある状態で示している。
【図３】実施例に係る遊技盤、設置部材および図柄表示装置を前側から見た分解斜視図である。
【図４】実施例に係る遊技盤を、全ての遊技部品を取り外して前側から見た斜視図である。
【図５】実施例に係る可動演出装置を前側から見た分解斜視図であって、第２動作演出装置は図示省略してある。
【図６】実施例に係る可動演出装置を後側から見た分解斜視図であって、第２動作演出装置は図示省略してある。
【図７】図２のＸ−Ｘ線で示す要部断面図である。
【図８】実施例に係る設置部材の要部縦断側面図である。
【図９】実施例に係る可動演出装置を示す正面図であって、(ａ)は第１可動部材を待機位置とした状態で示すものであり、(ｂ)は第１可動部材を作動位置とした状態で示すものである。
【図１０】実施例に係る可動演出装置に配設される第１動作演出装置を第１可動部材の待機位置で示すものであって、（ａ)は正面図であり、(ｂ)は背面図である。
【図１１】実施例に係る可動演出装置に配設される第１動作演出装置を第１可動部材の作動位置で示すものであって、（ａ)は正面図であり、(ｂ)は背面図である。
【図１２】実施例に係る可動演出装置に配設される第２動作演出装置を示す概略斜視図であって、(ａ)は前側から見た図であり、(ｂ)は後側から見た図である。
【図１３】実施例に係る可動演出装置を配設した設置部材の正面図であって、可動演出装置の装置本体が原点位置に位置している状態において、第１可動部材が作動位置に移動した状態を示している。なお、配線保持ユニットのカバー部材は図示省略してある。
【図１４】実施例に係る可動演出装置を配設した設置部材の正面図であって、可動演出装置の装置本体が第１位置に回動すると共に第１可動部材が作動位置に移動した状態を示している。なお、配線保持ユニットのカバー部材は図示省略してある。
【図１５】実施例に係る可動演出装置を配設した設置部材の正面図であって、可動演出装置の装置本体が第２位置に回動すると共に第１可動部材が作動位置に移動した状態を示している。なお、配線保持ユニットのカバー部材は図示省略してある。
【図１６】実施例に係る配線保持ユニットを前側から見た分解斜視図である。
【図１７】実施例に係る配線保持ユニットを後側から見た分解斜視図である。
【図１８】実施例に係る可動演出装置の装置本体が原点位置に位置している状態において、設置部材における配線保持ユニットの配設部位を縦断して示す要部側面図である。
【図１９】実施例に係る可動演出装置の装置本体が原点位置に位置している状態において、設置部材における配線保持ユニットの配設部位を横断して示す要部底面図である。
【図２０】実施例に係る可動演出装置の装置本体が第２位置に位置している状態において、設置部材における配線保持ユニットの配設部位を縦断して示す要部側面図である。
【図２１】実施例に係る遊技盤の正面図であって、可動演出装置の装置本体が原点位置に位置している状態において、第１可動部材が作動位置に移動した状態を示している。
【図２２】実施例に係る遊技盤の正面図であって、可動演出装置の装置本体が第１位置に回動すると共に第１可動部材が作動位置に移動した状態を示している。
【図２３】実施例に係る遊技盤の正面図であって、可動演出装置の装置本体が第２位置に回動すると共に第１可動部材が作動位置に移動した状態を示している。
【図２４】実施例に係る遊技盤の正面図であって、可動演出装置の装置本体が原点位置に位置している状態において、第１可動部材および第２可動部材が夫々作動位置に移動した状態を示している。
【図２５】実施例に係るパチンコ機の制御ブロック図である。
【発明を実施するための形態】
【００１４】
次に、本発明に係る遊技機につき、好適な実施例を挙げて、添付図面を参照して以下に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１５】
(パチンコ機１０について)
実施例に係るパチンコ機１０は、図１に示すように、全体として縦長の矩形状に構成されており、遊技者がパチンコ機１０の前面に向かう姿勢でパチンコ遊技を行うことができるよう、パチンコ球の発射操作を行うための操作ハンドル１７が前面右下部に設けられている。このパチンコ機１０には、矩形枠状に形成されて遊技店の図示しない設置枠台に固定される固定枠としての外枠１１の開口前面側に、後述する遊技盤１３(図２参照)を着脱可能に保持する本体枠としての中枠１２が開閉および着脱可能に組付けられると共に、遊技盤１３の後側に、図柄を変動表示可能な表示手段としての図柄表示装置１８(図３参照)が着脱し得るよう配設されている。また、中枠１２の前面側には、遊技盤１３を透視可能に保護する透明板(透明部材)１４ａを窓部に備えた装飾枠としての前枠１４が開閉可能に組付けられると共に、該前枠１４の下方にパチンコ球を貯留する下球受け皿１６が開閉可能に組付けられる。なお、実施例では、前枠１４の下部位置に、パチンコ球を貯留する上球受け皿１５が一体的に組付けられており、前枠１４の開閉に合わせて上球受け皿１５も一体的に開閉するよう構成される。また実施例では、前記図柄表示装置１８としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。
【００１６】
前記前枠１４には、図１に示す如く、下球受け皿１６の右側方に、前記中枠１２に配設された打球発射装置(図示せず)を作動する前記操作ハンドル１７が設けられる。この操作ハンドル１７は、左回転方向に付勢された操作レバー１７ａを備えており、該操作レバー１７ａを右回転するよう遊技者が回動操作することで打球発射装置が作動されて、前記上球受け皿１５に貯留されたパチンコ球が前記遊技盤１３に向けて発射されるようになっている。ここで、前記操作レバー１７ａの回動量に応じて前記打球発射装置によるパチンコ球の打球力が強弱変化するよう構成されており、遊技者が操作レバー１７ａを操作して回動量を調節することで、前記遊技盤１３に形成された第１経路３０ａ(後述)をパチンコ球が流下する所謂「左打ち」と、該遊技盤１３に形成された第２経路３０ｂ(後述)をパチンコ球が流下する所謂「右打ち(ゴム打ち)」とを打ち分け得るようになっている。また、前枠１４の上部に、音声や効果音を出力可能なスピーカ１６３が配設されており、該スピーカ１６３から適宜の音声を出力することで、前記図柄表示装置１８での図柄変動演出に合わせて音声演出を行い得るよう構成されている。
【００１７】
(遊技盤１３について)
前記遊技盤１３は、図２および図３に示すように、前面(盤面)にパチンコ球が流下可能な遊技領域１３ａが画成されたベニヤ板からなる平板状の板部材であって、該遊技盤１３の裏側に、光透過性の合成樹脂材により前方へ開口した箱状に形成されて、前記図柄表示装置１８や後述する可動演出装置Ｅ等が配設される設置部材(設置部)１９が配設されている。遊技盤１３および設置部材１９は、正面視における外郭形状が略整合する大きさおよび形状に形成されて、遊技盤１３の後面に設置部材１９を取着した状態で、設置部材１９が遊技盤１３の後面を全面的に覆うよう構成されている。なお、遊技盤１３をアクリルやポリカーボネート等の合成樹脂材により光透過性を有するよう形成してもよい。この場合には、設置部材１９を不透明な合成樹脂材により形成することで、裏側の構成をパチンコ機１０前方から視認し難くしておくことが好ましい。
【００１８】
図２および図３に示すように、前記遊技盤１３の前面には、左側部の上下隅部に第１および第２盤面保護部材２０ａ,２０ｂが夫々配設されると共に、右側部において上下隅部に亘るように第３盤面保護部材２０ｃが配設されている。これら第１〜第３盤面保護部材２０ａ,２０ｂ,２０ｃの夫々は、遊技盤１３の中心側を向く内縁が円弧状に形成されており、該第１〜第３盤面保護部材２０ａ,２０ｂ,２０ｃの内縁に沿って配設された略円形状に湾曲形成された案内レール２１および第３盤面保護部材２０ｃにより、パチンコ球が流下可能な遊技領域１３ａが画成されている。案内レール２１は、第１盤面保護部材２０ａの下端部から第２盤面保護部材２０ｂおよび第３盤面保護部材２０ｃの上端部の内縁に沿って配設されて、遊技盤１３の左下部から右上部に至るよう左方向に膨出する円弧状に形成された外レール２１ａと、第３盤面保護部材２０ｃの下端部から左側の外レール２１ａの内側に配置されて、遊技盤１３の右下部および左上部に至るよう右方向に膨出する円弧状に形成された内レール２１ｂとから構成される。また、内レール２１ｂは、外レール２１ａとの間に１個のパチンコ球が通過可能な発射通路２２を画成するよう配設されると共に、該内レール２１ｂは、図２に示す如く、前記遊技盤１３の左上部に開放端を臨ませるよう構成されて、前記打球発射装置から発射されたパチンコ球が発射通路２２の下方開口から飛翔して、内レール２１ｂの開放端側から遊技領域１３ａ内に打ち出されるようになっている。実施例では、案内レール２１および第３盤面保護部材２０ｃが、パチンコ球が流下可能な遊技領域１３ａを画成するレール部として機能する。
【００１９】
前記遊技盤１３には、前後に貫通する装着口２３ａ,２３ｂ,２３ｃ,２３ｄが前記遊技領域１３ａ内に複数開設されて(図４参照)、各装着口２３ａ,２３ｂ,２３ｃ,２３ｄに対して各種の遊技部品が前側から取り付けられると共に、遊技領域１３ａの最下部位置には、該遊技領域１３ａに打ち出されたパチンコ球を排出する第１アウト口２４が開設されている。なお、前記装着口の形成数は、遊技盤１３に対して取り付けられる各種の遊技部品の個数や配設位置等により必要に応じて適宜決定される。
【００２０】
図２および図３に示すように、前記遊技盤１３には、前記遊技領域１３ａ内に多数の遊技釘２５が設けられると共に、後述する枠状装飾体２９の左側方に、遊技領域１３ａを流下するパチンコ球の接触に伴って回転する回転案内部材２６が回転自在に支持されており、遊技釘２５や回転案内部材２６との接触によりパチンコ球の流下方向が不規則に変化するよう構成されている。前記回転案内部材２６は、所謂「風車」とも称される部材であって、該回転案内部材２６の回転に伴ってパチンコ球を弾くように左右方向へ放出する部材である。
【００２１】
(枠状装飾体２９について)
前記遊技盤１３には、前記案内レール２１および第３盤面保護部材２０ｃで囲まれた前記遊技領域１３ａの略中央の大部分が開口する第１装着口２３ａに、前後に開口する窓口(開口部)２９ａが形成された枠状装飾体(装飾体)２９が取り付けられて、該枠状装飾体２９の窓口２９ａを介して図柄表示装置１８の表示部１８ａが遊技盤１３の前面側に臨むよう構成される。枠状装飾体２９は、前記第１装着口２３ａに沿って延在する環状に形成された薄板状の台板２９ｂと、該台板２９ｂの開口内周に沿って後方へ突出する内周壁部と、該台板２９ｂの開口内周に沿って設けられて、遊技盤１３の前面より前方へ突出する庇部２９ｄとを備える(図２参照)。そして、枠状装飾体２９は、第１装着口２３ａ内に内周壁部を挿入した状態で、遊技盤１３に台板２９ｂが前側からネジ止めされて、該枠状装飾体２９の外側、具体的には庇部２９ｄと案内レール２１および第３盤面保護部材２０ｃの間にパチンコ球が流下する流下経路３０ａ,３０ｂが画成されるようになっている。なお、枠状装飾体２９を遊技盤１３に取り付けた状態で、庇部２９ｄの後端縁から外方に延出する台板２９ｂが遊技盤１３の前面に沿って延在して、該台板２９ｂの前側をパチンコ球が通り得るようになっている。枠状装飾体２９は、前記台板２９ｂ、内周壁部および庇部２９ｄの夫々が一体に樹脂形成される構成であっても、別部材として形成される構成であってもよい。
【００２２】
前記枠状装飾体２９の庇部２９ｄは、枠状装飾体２９(台板２９ｂ)の左側縁の略中間位置から上縁および右下縁に亘って連続して延在するよう設けられており、前記図柄表示装置１８における表示部１８ａの前面側を横切ってパチンコ球が流下(落下)するのを規制している。また庇部２９ｄは、最上部位置から左右方向に下方傾斜するよう形成されて、遊技領域１３ａに打ち出されたパチンコ球が庇部２９ｄ上で滞ることなく枠状装飾体２９の左側方または右側方へ誘導案内されるよう形成されている。すなわち、枠状装飾体２９の外側に画成される流下経路３０ａ,３０ｂは、図２に示す如く、該枠状装飾体２９の左側方をパチンコ球が流下する第１経路３０ａ、および枠状装飾体２９の右側方をパチンコ球が流下する第２経路３０ｂに分かれており、前記打球発射装置により遊技領域１３ａ内に発射されたパチンコ球は、到達位置に応じて枠状装飾体２９および内レール２１ｂの間に形成される第１経路３０ａか、或いは枠状装飾体２９および第３盤面保護部材２０ｃの間に形成される第２経路３０ｂの何れかを流下するよう構成される。
【００２３】
前記枠状装飾体２９には、図２に示す如く、窓口２９ａの下側(枠状装飾体２９の内周下縁部)に、ステージ３１が配設されると共に、窓口２９ａの左側に、前記第１経路３０ａ(遊技領域１３ａ)に開口して該第１経路３０ａを流下するパチンコ球を枠状装飾体２９の内側(ステージ３１)に取り込む球導入部３２が設けられ、該球導入部３２がステージ３１に連通するよう構成される。そして、球導入部３２からステージ３１に通出されたパチンコ球は、ステージ３１上を左右に転動した後に、後述する各入賞口５３ａ,５３ｂが設けられている遊技領域１３ａに排出される。
【００２４】
(始動入賞装置５２について)
前記遊技盤１３に配設される前記始動入賞装置５２は、前記第１装着口２３ａの下方に穿設された第２装着口２３ｂに前側から着脱自在に配設される始動口飾り５２ａに、始動入賞口５３ａ,５３ｂが上下の位置関係で２つ設けられている。ここで、上側に位置する第１始動入賞口５３ａは、遊技領域１３ａ内で常に上方へ開口する常時開放タイプの入賞口とされている。また、下側に位置する第２始動入賞口５３ｂは、始動口飾り５２ａに前後方向へ揺動可能に配設された開閉部材５４によって開閉するよう構成されており、駆動手段としての始動入賞ソレノイド５５(図２５参照)の駆動に伴って開閉部材５４が第２始動入賞口５３ｂを閉鎖する閉鎖位置と開放する開放位置に変位するよう構成されている。すなわち、実施例において前記第１始動入賞口５３ａは、前記遊技領域１３ａを流下するパチンコ球が常時一定の確率で入賞可能に構成され、第２始動入賞口５３ｂは、始動入賞ソレノイド５５を駆動することでパチンコ球の入賞確率を可変し得るよう構成されている。なお、開閉部材５４を閉鎖位置から開放位置に変位して第２始動入賞口５３ｂを開放する開放条件および開閉部材５４を開放位置から閉鎖位置に変位して第２始動入賞口５３ｂを閉鎖する閉鎖条件としては、開閉部材５４が開放位置に変位している継続時間(第２始動入賞口５３ｂの開放時間)が挙げられるが、その他の条件を設定してもよい。
【００２５】
また、前記始動入賞装置５２は、前記第１および第２始動入賞口５３ａ,５３ｂに入賞したパチンコ球を検出する入賞検出手段としての始動入賞検出スイッチ５６ａ,５６ｂ(図２５参照)が設けられている。前記始動入賞検出スイッチ５６ａ,５６ｂは、パチンコ機１０の裏側に配設されたメイン制御手段５７(図２５参照)に配線接続されており、該始動入賞検出スイッチ５６ａ,５６ｂによるパチンコ球の検出(すなわち第１および第２始動入賞口５３ａ,５３ｂへのパチンコ球の入賞)を契機として所定数の賞球が払い出されるようになっている。また、始動入賞検出スイッチ５６ａ,５６ｂによるパチンコ球の検出(すなわち第１および第２始動入賞口５３ａ,５３ｂへのパチンコ球の入賞)に伴って各種情報が取得され、この取得した情報に基づいて後述する特図当り抽選(大当り判定)が行われるよう構成されている。そして、特図当り抽選の結果に基づいて前記図柄表示装置１８において図柄変動演出が実行されると共に、後述する特図表示部１６０Ａ,１６０Ｂにおいて特図変動が実行されるようになっている。そして、前記図柄表示装置１８での図柄変動演出の結果、該図柄表示装置１８に所定の組み合わせ(例えば同一飾図の３つ揃い等)で飾図が確定停止表示されることで、遊技者に有利な当り遊技(大当り遊技)が付与され、当り遊技の発生に伴って後述する特別入賞装置９０を所定の開放条件で開放する当り遊技が行われて、遊技者が賞球を獲得し得る機会が与えられるよう構成されている。ここで、実施例では、前記始動入賞検出スイッチ５６ａ,５６ｂが始動入賞口５３ａ,５３ｂ毎が設けられており、以下の説明では、第１始動入賞口５３ａに対応するスイッチを第１始動入賞検出スイッチ５６ａと指称し、第２始動入賞口５３ｂに対応するスイッチを第２始動入賞検出スイッチ５６ｂと指称するものとする。また、メイン制御手段５７は、第１始動入賞検出スイッチ５６ａまたは第２始動入賞検出スイッチ５６ｂからの検出信号を受信すると、図示しない球払出装置を制御して所定数の賞球を払い出させるよう構成される。なお、球払出装置から払い出される賞球球数は、パチンコ球が入賞した始動口毎に予め設定されている。
【００２６】
(第１サイド装飾体５８について)
前記遊技盤１３の第１経路３０ａにおいて内レール２１ｂに沿って形成される第３装着口２３ｃに配設される前記第１サイド装飾体５８には、図２に示す如く、第１経路３０ａ(遊技領域１３ａ)を流下するパチンコ球が通過可能な第１球通過ゲート６７が着脱自在に取り付けられており、該第１球通過ゲート６７をパチンコ球が通過したことを第１球通過検出スイッチ６９Ａが検出するよう構成される。第１球通過検出スイッチ６９Ａは、前記メイン制御手段５７に配線接続されており(図２５参照)、該第１球通過検出スイッチ６９Ａは、パチンコ球の通過を検出して球検出信号をメイン制御手段５７に出力するようになっている。そして、第１球通過検出スイッチ６９Ａからメイン制御手段５７への球検出信号の入力(すなわちパチンコ球の検出)に伴って普図当り抽選(後述)が行われ、該普図当り抽選の結果に応じて前記始動入賞装置５２の始動入賞ソレノイド５５が駆動制御されて開閉部材５４が開閉動作するようになっている。また、第１サイド装飾体５８には、前記第１球通過ゲート６７の配設位置より下方に、複数の第１普通入賞口７３が設けられている。なお、実施例では、３つの第１普通入賞口７３が、前記始動入賞装置５２に近づくにつれて下方に位置する階段状に配置されている。
【００２７】
前記各第１普通入賞口７３に入賞したパチンコ球は、該パチンコ球の球排出経路に設けた第１普通入賞検出スイッチ７４ａ(図２５参照)によって検出可能に構成されている。この第１普通入賞検出スイッチ７４ａは、前記メイン制御手段５７に配線接続されており、該第１普通入賞検出スイッチ７４ａからメイン制御手段５７への球検出信号の入力に伴って所定数の賞球が払い出されるようになっている。
【００２８】
(第２サイド装飾体７５について)
前記遊技盤１３の第２経路３０ｂにおいて前記第３盤面保護部材２０ｃに沿って形成される第４装着口２３ｄに配設される第２サイド装飾体(飾り部材)７５は、図２に示す如く、第２経路３０ｂ(遊技領域１３ａ)を流下するパチンコ球が通過可能な第２球通過ゲート８０が着脱自在に取り付けられており、該第２球通過ゲート８０をパチンコ球が通過したことを第２球通過検出スイッチ６９Ｂが検出するよう構成される。第２球通過検出スイッチ６９Ｂは、前記メイン制御手段５７に配線接続されており(図２５参照)、該第２球通過検出スイッチ６９Ｂは、パチンコ球の通過を検出して球検出信号をメイン制御手段５７に出力するようになっている。そして、第２球通過検出スイッチ６９Ｂからメイン制御手段５７への球検出信号の入力(すなわちパチンコ球の検出)に伴って普図当り抽選(後述)が行われ、該普図当り抽選の結果に応じて前記始動入賞装置５２の始動入賞ソレノイド５５が駆動制御されて開閉部材５４が開閉動作するようになっている。
【００２９】
前記第２サイド装飾体７５には、前記第２球通過ゲート８０の配設位置より下方に、第２普通入賞口８８および第２アウト口８９が設けられている。第２普通入賞口８８に入賞したパチンコ球は、球排出経路に設けられた第２普通入賞検出スイッチ７４ｂ(図２５参照)によって検出可能に構成されている。この第２普通入賞検出スイッチ７４ｂは、前記メイン制御手段５７に配線接続されており、該第２普通入賞検出スイッチ７４ｂからメイン制御手段５７への球検出信号の入力に伴って所定数の賞球が払い出されるようになっている。
【００３０】
前記第２サイド装飾体７５には、前記第２普通入賞口８８より下方位置に、特別入賞装置９０が配設されている。この特別入賞装置９０は、特別入賞口８５を開閉自在に閉成する開閉扉(開閉部材)９２を備え、駆動手段としての特別入賞ソレノイド９３を駆動することで、開閉扉９２が特別入賞口８５を閉鎖する閉鎖位置と開放する開放位置に変位するよう構成されている。実施例では、前記開閉扉９２は下端部を中心として前後方向へ揺動することで特別入賞口８５を開閉するよう構成されており、起立した閉鎖位置から前側に傾斜した開放位置に変位することで該開閉扉９２は遊技領域１３ａに延出して上方から流下してくるパチンコ球を受けて特別入賞口８５に案内し得るよう構成される。
【００３１】
前記特別入賞装置９０は、前記特別入賞口８５に入賞したパチンコ球を検出する特別入賞検出手段としての特別入賞検出スイッチ９５を備えている。特別入賞検出スイッチ９５は、前記メイン制御手段５７に配線接続されており(図２５参照)、特別入賞検出スイッチ９５がパチンコ球を検出すると、検出信号をメイン制御手段５７に出力し、メイン制御手段５７の制御下に予め設定された数の賞球が払い出されるようになっている。なお、前記特別入賞ソレノイド９３は、前記始動入賞装置５２へのパチンコ球の入賞を契機として特別入賞装置９０を開放する当り遊技(大当り遊技)が付与される場合に、当りの種類に応じた所定の開閉条件に従ってメイン制御手段５７によって駆動制御される。
【００３２】
ここで、前記特別入賞装置９０では、前記特図当り抽選に当選して「大当り」の発生時に行われる大当り遊技において、前記特別入賞口８５へのパチンコ球の入賞が阻まれる不利な第１状態(特別入賞口８５の開閉扉９２による閉鎖)と、特別入賞口８５へのパチンコ球の入賞が許容される第２状態(特別入賞口８５の開閉扉９２による開放)とに変動されるラウンド遊技を繰返すよう構成される。ここで、特別入賞装置９０におけるラウンド遊技とは、不利な第１状態から有利な第２状態に移行し、再び不利な第１状態に移行するまでを云い、大当り遊技において予め決定された継続回数のラウンド遊技が繰返されるようになっている。また、ラウンド遊技において第１状態から第２状態への移行は、第１状態から第２状態へ移行してからの第２状態の継続時間(特別入賞口８５の開放時間)、または第２状態での特別入賞口８５へのパチンコ球の入賞数(特別入賞検出スイッチ９５による設定数のパチンコ球の検出)の何れかが、予め設定された値となったことを条件として行われる。
【００３３】
(設置部材１９について)
前記設置部材１９は、図３に示す如く、矩形状の背壁１９ａと、該背壁１９ａの周縁から前方へ向けて突出する囲い壁１９ｂとから前方に開口する矩形箱状に形成された部材であって、該設置部材１９は、囲い壁１９ｂの前縁から外側方へ延在するフランジ１９ｃを遊技盤１３の後面に当接した状態で該遊技盤１３に取り付けられる(図７参照)。また、背壁１９ａには、該背壁１９ａの後面に配設された前記図柄表示装置１８の表示部１８ａを前方へ露出させる設置開口部１９ｄが形成されている。そして、設置部材１９の内側(図柄表示装置１８より前側)に、動作によって演出を行う可動演出装置Ｅが配設されており、該可動演出装置Ｅは、図柄表示装置１８の表示部１８ａで表示される図柄変動演出に関連して動作可能に構成されている。
【００３４】
(可動演出装置Ｅについて)
前記設置部材１９に配設された可動演出装置Ｅは、図１３に示す如く、設置部材１９の背壁１９ａに対して前後方向の軸回りに回動自在に支持された枠状の装置本体(可動体)１０４と、該装置本体１０４を揺動する第１駆動手段としての第１駆動モータ(駆動手段)１０５とを備える。第１駆動モータ１０５が設置部材１９に配設されると共に、該第１駆動モータ１０５により回転駆動される駆動ギヤ１０６が、装置本体１０４の外周に形成された歯部１０７に噛合しており、第１駆動モータ１０５の正転駆動および逆転駆動によって、駆動ギヤ１０６を介して装置本体１０４が時計方向および反時計方向に所定角度範囲で回動するよう構成される。また、可動演出装置Ｅは、装置本体１０４に、後述する第１動作演出装置Ｎ１および第２動作演出装置Ｎ２が配設されており、装置本体１０４と共に両動作演出装置Ｎ１,Ｎ２も回動するようになっている。実施例では、後述する原点用センサ１１６で装置本体１０４に設けた原点用の原点用検出片１０４ｃを検出する原点位置を基準として、時計方向への回転を正回転と指称すると共に反時計方向への回転を逆回転と指称するものとする。
【００３５】
前記装置本体１０４は、図５,図６に示す如く、略円盤状の前壁の外周縁から後方に側壁が延出する前半体１０８と、該前半体１０８と同じく略円盤状の後壁の外周縁から前方に側壁が延出する後半体１０９とを前後に組み付けることで構成される。前半体１０８の前壁および後半体１０９の後壁には、前後方向に貫通する開口が形成されており、両開口を合わせた装置本体１０４の開口部１０４ａを介して前記図柄表示装置１８の表示部１８ａが前側に臨むよう構成される。以後の説明においては、装置本体１０４の開口部１０４ａについて、可動体開口部１０４ａと指称する場合がある。可動体開口部１０４ａは、図９に示す如く、略矩形状に形成されており、装置本体１０４は全体として枠状になっている。すなわち、前記第１駆動モータ１０５を駆動することで装置本体１０４の枠部分は、可動体開口部１０４ａを介して表示部１８ａが前側に臨む領域の周りを回動するようになっている。実施例では、可動体開口部１０４ａで画成されて表示部１８ａが前側に臨む領域が演出領域となっている。なお、前記装置本体１０４の可動体開口部１０４ａは、設置部材１９の設置開口部１９ｄより小さく設定されて、装置本体１０４を後述する第１位置(図１４)と第２位置(図１５)との間で揺動する際に、可動体開口部１０４ａが設置開口部１９ｄの外側にはみ出すことがないよう設定される。
【００３６】
前記装置本体１０４は、前半体１０８と後半体１０９との間に、第１動作演出装置Ｎ１の後述する可動部材１１９を収容可能な収容空間(収容部)Ｓ１,Ｓ２,Ｓ３,Ｓ４が画成される。なお、以後の説明において、可動体開口部１０４ａの上、下、左、右の夫々に画成される収容空間を区別する場合には、上収容空間Ｓ１、下収容空間Ｓ２、左収容空間Ｓ３、右収容空間Ｓ４と指称する場合がある。また、実施例では前半体１０８は、可動体開口部１０４ａの上側に位置する部材と、可動体開口部１０４ａの左右および下側に位置する２つの部材から構成されているが、１つの部材で構成されたものであってもよい。
【００３７】
(第１ローラ１１１について)
前記装置本体１０４における上側の外周および下側の外周には、図１３に示す如く、円弧状に形成された円弧状部１１０,１１０が所定角度範囲で形成されている。これに対し、前記設置部材１９には、設置開口部１９ｄの上側および下側に、装置本体１０４の円弧状部１１０に当接可能な複数のローラ１１１,１１３が回転自在に枢支されており、設置部材１９に対して装置本体１０４は、複数のローラ１１１,１１３に支持されて前後方向の回動軸(揺動軸)回りに揺動し得るよう構成される。装置本体１０４に配設されるローラ１１１,１１３には、該装置本体１０４に対して定位置で回転するよう配設される第１ローラ１１１と、装置本体１０４に対して前後方向の回動軸と交差する方向に変位可能に配設される第２ローラ１１３とがあり、これら第１ローラ１１１および第２ローラ１１３によって装置本体１０４が回転案内されるようになっている。
【００３８】
前記円弧状部１１０には、装置本体１０４の外周から径方向外方に突出するレール部１１０ａが形成されており、該レール部１１０ａの外周面に複数の前記第１ローラ１１１が当接して支持されるよう構成される。設置部材１９における設置開口部１９ｄの上側に配設される第１ローラ１１１は、ローラ本体の軸方向の一端(後端部)に径方向外方にフランジ部が延出する鍔付きローラであって、該第１ローラ１１１は、フランジ部が上側の円弧状部１１０のレール部１１０ａにおける後側の側面に当接可能な状態で円弧状部１１０を支持しており、該フランジ部によって装置本体１０４の後方への変位を規制するよう構成される。これに対し、設置部材１９における設置開口部１９ｄの下側に配設される第１ローラ１１１は、ローラ本体の軸方向の両端に径方向外方にフランジ部が夫々延出する鍔付きローラであって、該第１ローラ１１１は、両フランジ部が下側の円弧状部１１０のレール部１１０ａにおける前後の側面に当接可能な状態で円弧状部１１０を支持しており、両フランジ部によって装置本体１０４の前後方向の変位を規制するよう構成している。なお、実施例では、下側の第１ローラ１１１は、軸方向の一端にフランジ部を設けた一対の鍔付きローラを１本の軸に配設して構成されて、両鍔付きローラのフランジ部をレール部１１１ａを挟む前後両側に位置させている。
【００３９】
(第２ローラ１１３について)
前記設置部材１９には、前記設置開口部１９ｄの下側に配設した２つの第１ローラ１１１,１１１の間に、該設置部材１９に配設された弾性部材１１２によって常に装置本体１０４の円弧状部１１０に向けて付勢される第２ローラ１１３が配設されている。実施例では、装置本体１０４に一端部がネジ止め固定された可橈性を有する弾性部材１１２の自由端側に第２ローラ１１３が回転自在に枢支されており、該弾性部材１１２自体の弾性によって第２ローラ１１３は円弧状部１１０に押付けられるように構成される。前記装置本体１０４における下側の円弧状部１１０には、図８に示す如く、第２ローラ１１３が係合可能な位置決め凹部１１０ｂが径向外方に開放するように形成されており、装置本体１０４が後述する原点位置に臨む状態で、位置決め凹部１１０ｂに第２ローラ１１３が弾性部材１１２の付勢下に係合するよう構成される。なお、実施例では下側の円弧状部１１０におけるレール部１１０ａの後側に臨む外周面に位置決め凹部１１０ｂが形成されており、第２ローラ１１３が設置部材１９の背壁１９ａとレール部１１０ａとの間に臨むことで、該第２ローラ１１３が前後方向に変位するのを防ぐようになっている。前記位置決め凹部１１０ｂは、上側に円弧状に凹む形状に形成されると共に、該位置決め凹部１１０ｂの周方向の端部と円弧状部１１０との連接部はなだらかに接続するように弧状に形成されている。これにより、位置決め凹部１１０ｂに第２ローラ１１３が位置した状態で、該第２ローラ１１３を安定して支持し得ると共に、装置本体１０４を回転する際には、大きな抵抗を与えることなく第２ローラ１１３の位置決め凹部１１０ｂからの移動を可能としている。
【００４０】
(ガイド部材１１４,１１５について)
前記設置部材１９における設置開口部１９ｄの上側に、装置本体１０４の前側に臨む第１ガイド部材１１４が配設されている。この第１ガイド部材１１４の後側に前記上側の第１ローラ１１１が回転自在に支持されており、該第１ローラ１１１のフランジ部と第１ガイド部材１１４とによって、装置本体１０４の前後方向の変位を規制するよう構成される。また、設置部材１９における上右隅部に、装置本体１０４の外周に形成されて径方向外方に延出する突片１０４ｂの前側に臨む第２ガイド部材１１５が配設されている。すなわち、設置部材１９に対して装置本体１０４の上部は、複数のガイド部材１１４,１１５によって前方への変位が規制されるようになっている。
【００４１】
(可動演出装置Ｅの位置検出手段について)
前記第１ガイド部材１１４に、原点用センサ(位置検出手段)１１６および移動位置用センサ１１７が周方向に離間して配設されている(図１３参照)。両センサ１１６,１１７としては、発光部と受光部とを備えるフォトセンサや磁気センサ等の種各のセンサを用いることができる。前記装置本体１０４における可動体開口部１０４ａの上側に臨む前面に、前側に向けて突出する原点用検出片１０４ｃおよび移動位置用検出片１０４ｄが周方向に離間して設けられている(図５参照)。両検知片１０４ｃ,１０４ｄは、前記センサ１１６,１１７により検出可能な位置に設けてある。そして、原点用検出片１０４ｃが原点用センサ１１６で検出される位置が、装置本体１０４の原点位置(図１３)として設定されている。なお、装置本体１０４の原点位置において移動位置用検出片１０４ｄは、移動位置用センサ１１７より右側で該移動位置用センサ１１７で検出されない位置に臨むよう構成される。そして、装置本体１０４が原点位置から時計方向に回転して、原点用検出片１０４ｃが移動位置用センサ１１７で検出される位置が、装置本体１０４の第１位置(図１４)として設定されると共に、装置本体１０４が原点位置から反時計方向に回転して、移動位置用検出片１０４ｄが移動位置用センサ１１７で検出される位置が、装置本体１０４の第２位置(図１５)として設定される。そして、後述するサブ制御手段１６２は、各センサ１１６,１１７が検出片１０４ｃ,１０４ｄを検出したときに第１駆動モータ１０５を停止制御することで、装置本体１０４を原点位置、第１位置および第２位置に位置決め停止し得るようになっている。言い替えれば、原点用センサ１１６の検出状態では、装置本体１０４が原点位置にあることをサブ制御手段１６２が認識し、原点位置から第１駆動モータ１０５を正転駆動して移動位置用センサ１１７が検出状態となったときには装置本体１０４が第１位置にあることをサブ制御手段１６２が認識し、原点位置から第１駆動モータ１０５を逆転駆動して移動位置用センサ１１７が検出状態となったときには装置本体１０４が第２位置にあることをサブ制御手段１６２が認識し得るようになっている。
【００４２】
(第１動作演出装置Ｎ１について)
前記装置本体１０４に配設される前記第１動作演出装置Ｎ１は、発光用基板(電気部品,発光装置)１１８を内蔵した第１可動部材(可動部材)１１９と、該第１可動部材１１９を待機位置(第１位置)および作動位置(第２位置)の間を往復移動させる駆動機構１２０とを備える。第１動作演出装置Ｎ１は、駆動機構１２０の駆動に応じて、第１可動部材１１９が前記図柄表示装置１８の表示部１８ａに沿って移動するよう構成されている。すなわち、第１可動部材１１９は、装置本体１０４の回動軸線と交差する方向に移動するようになっている。そして、第１可動部材１１９の待機位置では、図９(ａ)に示す如く、可動体開口部１０４ａから退避して前記収容空間Ｓ１,Ｓ２,Ｓ３,Ｓ４に収容されることで前半体１０８の裏側に略全体が隠れるように位置して、前記図柄表示装置１８の表示部１８ａの略全体が可動体開口部１０４ａを介して前側から視認可能となる状態となる(図２参照)。一方、第１可動部材１１９の作動位置では、図９(ｂ)に示す如く、収容空間Ｓ１,Ｓ２,Ｓ３,Ｓ４から出て可動体開口部１０４ａに略全体が臨むように位置して、前記図柄表示装置１８の表示部１８ａの前側に重なることで、可動体開口部１０４ａを介して表示部１８ａが前側から視認可能な領域を狭める状態となるよう構成されている(図２１参照)。すなわち、第１可動部材１１９は、回動軸線から離間して表示部１８ａの前側(演出領域)から退避する待機位置(第１位置)と、回動軸線に近接して表示部１８ａの前側(演出領域)に延出する作動位置(第２位置)との間を往復移動するよう構成される。
【００４３】
(第１可動部材１１９について)
前記第１可動部材１１９は、図１０に示す如く、実施例では４つの遮蔽部材１２１,１２１,１２２,１２２から構成されており、各遮蔽部材１２１,１２１,１２２,１２２に、ＬＥＤ等の発光体を実装した発光用基板１１８が夫々配設されている。４つの遮蔽部材１２１,１２１,１２２,１２２は、上下で対をなす第１遮蔽部材１２１,１２１と、左右で対をなす第２遮蔽部材１２２,１２２とからなる。第１遮蔽部材１２１,１２１は、装置本体１０４に対して上下方向に移動可能に支持されており、駆動機構１２０の駆動に応じて相互に近接離間するよう構成される。そして、両第１遮蔽部材１２１,１２１は、相互に離間することで、前記上収容空間Ｓ１および下収容空間Ｓ２に収容されて前半体１０８の裏側に略全体が隠れる待機位置(第１位置)に臨むと共に、相互に近接することで上収容空間Ｓ１および下収容空間Ｓ２から延出することで、前記表示部１８ａの前側に重なって該表示部１８ａの一部を隠す作動位置(第２位置)に臨むようになっている。第１遮蔽部材１２１,１２１は、略矩形状に形成されて、その長手が装置本体１０４の可動体開口部１０４ａにおける上下に対向する縁部に沿って延在する姿勢で、相互に近接離間移動するようになっている(図１０,図１１参照)。
【００４４】
また、略矩形状に形成された前記第１遮蔽部材１２１,１２１は、その長手寸法が前記枠状装飾体２９の窓口２９ａの横幅と略同じか長く設定されており、該第１遮蔽部材１２１,１２１の作動位置では窓口２９ａに臨む表示部１８ａの上側部分および下側部分が第１遮蔽部材１２１,１２１によって隠されるよう構成される(図２１参照)。なお、第１遮蔽部材１２１,１２１の前面に複数のランプレンズが設けられると共に、該第１遮蔽部材１２１,１２１に内蔵した発光用基板１１８には各ランプレンズに対応する位置に発光体が実装されており、該発光体を発光することで各ランプレンズを介して第１遮蔽部材１２１,１２１を発光装飾し得るようになっている。
【００４５】
前記第２遮蔽部材１２２,１２２は、装置本体１０４に対して前後方向の回動軸回りに回動可能に支持されており、前記駆動機構１２０の駆動に応じて縦向き姿勢と横向き姿勢とに変化するよう構成される。第２遮蔽部材１２２,１２２は、図１０に示す縦向き姿勢において、前記左収容空間Ｓ３および右収容空間Ｓ４に収容されて前半体１０８の裏側に略全体が隠れる待機位置(第１位置)に臨むと共に、該第２遮蔽部材１２２,１２２は、図１１に示す横向き姿勢において、左収容空間Ｓ３および右収容空間Ｓ４から延出して前記表示部１８ａの前側に重なって該表示部１８ａの一部を隠す作動位置(第２位置)に臨むようになっている。第２遮蔽部材１２２,１２２は、略矩形状に形成される本体部１２２ａの長手方向の一端に略直交するように腕部１２２ｂが連設されて、全体が略Ｌ字状に形成されており、腕部１２２ｂの延出端部が、待機位置の第１遮蔽部材１２１,１２１の外側方において装置本体１０４に回動可能に支持されている。そして、第２遮蔽部材１２２,１２２では、本体部１２２ａの長手方向が上下方向に延在する姿勢が縦向き姿勢(図１０参照)で、本体部１２２ａの長手方向が左右方向に延在する姿勢が横向き姿勢(図１１参照)となっている。
【００４６】
また、各第２遮蔽部材１２２における本体部１２２ａの長手方向の寸法が、前記第１遮蔽部材１２１の長手方向の寸法の略半分に設定されており、両第２遮蔽部材１２２,１２２が横向き姿勢(作動位置)となったときに、図２１に示す如く、両本体部１２２ａ,１２２ａの長手方向の他端(自由端)が略隙間なく突き合わさって表示部１８ａを左右方向の全幅に亘って隠し得るよう構成される。また、第２遮蔽部材１２２,１２２の作動位置では、作動位置に至った下側の第１遮蔽部材１２１の上側に略隙間なく平行に位置するよう構成されて、表示部１８ａの下部側を２つの第２遮蔽部材１２２,１２２と下側の第１遮蔽部材１２１とで隠すよう構成される。但し、第１遮蔽部材１２１,１２１および第２遮蔽部材１２２,１２２の作動位置において、上側の第１遮蔽部材１２１と第２遮蔽位置１２２,１２２とは離間し、第１遮蔽部材１２１と第２遮蔽位置１２２,１２２との隙間を介して表示部１８ａが部分的に前側に臨んで、該隙間に臨む表示部１８ａで変動表示される図柄変動を前側から視認可能に構成されている。
【００４７】
ここで、前記第１動作演出装置Ｎ１における第１可動部材１１９の遮蔽部材１２１,１２１,１２２,１２２が待機位置と作動位置との間を移動することで、これら遮蔽部材１２１,１２１,１２２,１２２の間に画成される隙間の形状(姿勢)が変化する。そして、作動位置に移動した遮蔽部材１２１,１２１,１２２,１２２の間に画成される隙間から表示部１８ａが視認可能となるよう構成されており、実施例では遮蔽部材１２１,１２１,１２２,１２２の間に画成される隙間が表示部１８ａで実行される図柄変動(表示演出)が視認可能な変化演出領域と指称するものとする。また、遮蔽部材１２１,１２１,１２２,１２２の間に画成される隙間の正面から見える形は、該遮蔽部材１２１,１２１,１２２,１２２の姿勢によって変化するようになっている。すなわち、前記装置本体１０４の原点位置では、図１３,図２１に示す如く、上下の遮蔽部材１２１,１２１の対向する端縁は略水平となっており、該姿勢を基準姿勢と指称する。これに対し、装置本体１０４の第１位置では、図１４,図２２に示す如く、上下の遮蔽部材１２１,１２１の対向する端縁は右下がりに傾斜しており、該姿勢を右傾斜姿勢と指称し、装置本体１０４の第２位置では、図１５,図２３に示す如く、上下の遮蔽部材１２１,１２１の対向する端縁は左下がりに傾斜しており、該姿勢を左傾斜姿勢と指称する。また、以後の説明において、前記基準姿勢、右傾斜姿勢および左傾斜姿勢とは、第２遮蔽部材１２２,１２２も含めた第１可動部材１１９の姿勢として指称するものとする。
【００４８】
前記第２遮蔽部材１２２の腕部１２２ｂには、駆動機構１２０の後述する係合突部１３２ａが摺動自在に係合する長孔１２２ｃが形成されている(図１０(ａ),図１１(ａ)参照)。第２遮蔽部材１２２は、本体部１２２ａの前面に複数のランプレンズが設けられると共に、該本体部１２２ａに内蔵した発光用基板１１８には各ランプレンズに対応する位置に発光体が実装されており、該発光体を発光することで各ランプレンズを介して本体部１２２ａ(第２遮蔽部材１２２)を発光装飾し得るよう構成されている。
【００４９】
(駆動機構１２０について)
前記駆動機構１２０は、図５,図６,図１０,図１１に示す如く、正逆回転可能な回転軸を備える第２駆動モータ(第２駆動手段)１２３と、該第２駆動モータ１２３の回転軸に固着される駆動ギア１２４と、該駆動ギア１２４の回転に応じて作動する動力伝達機構１２５とから構成されている。前記上側の第１遮蔽部材１２１の左右方向の両端に、上下方向に延在する第１ラック１２６が夫々設けられると共に、各第１ラック１２６に噛合する駆動ピニオン１２７が前記装置本体１０４に回動自在に枢支されている。また、装置本体１０４における可動体開口部１０４ａより上側位置に、左右方向に延在するシャフト１２８が回転自在に枢支されると共に、該シャフト１２８の軸方向の両端に対応する駆動ピニオン１２７に噛合する伝達ギヤ１２９が一体回転可能に配設されている。一方の伝達ギヤ１２９は、前記駆動ギヤ１２４に噛合しており、第２駆動モータ１２３を正転方向および逆転方向に回転することで、駆動ギヤ１２４および伝達ギヤ１２９を介して一対の駆動ピニオン１２７,１２７が正転方向および逆転方向に回転し、該駆動ピニオン１２７,１２７に噛合する第１ラック１２６,１２６を介して上側の第１遮蔽部材１２１が上下方向に往復移動するよう構成される。なお、第２駆動モータ１２３は、装置本体１０４における上部右隅部に設けられている。
【００５０】
前記各第１ラック１２６の下端に、装置本体１０４における可動体開口部１０４ａより外側方位置において上下方向に移動自在に支持されている第２ラック１３０の上端部が接続されている。また、装置本体１０４における可動体開口部１０４ａより外側方位置に、第２ラック１３０に噛合する伝達ピニオン１３１が回転自在に枢支されると共に、該伝達ピニオン１３１を挟んで第２ラック１３０と反対側に該第２ラック１３０と平行な第３ラック１３２が上下方向に移動自在に支持されており、第３ラック１３２も伝達ピニオン１３１に噛合している。そして、可動体開口部１０４ａを挟む左右両側に位置する第３ラック１３２,１３２の下端部が、前記下側の第１遮蔽部材１２１の左右両端部に接続されている。すなわち、第２駆動モータ１２３の正転回転および逆転回転によって上側の第１遮蔽部材１２１と共に第２ラック１３０,１３０が上下方向に移動して伝達ピニオン１３１,１３１が回転されることで、第３ラック１３２,１３２に接続する下側の第１遮蔽部材１２１が上側の第１遮蔽部材１２１に対して相互に近接・離間するように上下方向に移動する。実施例では、第１ラック１２６,１２６、駆動ピニオン１２７,１２７、伝達ギヤ１２９,１２９、第２ラック１３０,１３０、伝達ピニオン１３１,１３１および第３ラック１３２,１３２から動力伝達機構１２５が構成されている。
【００５１】
前記各第３ラック１３２の下端部に、前方に向けて係合突部１３２ａが突設されており、該係合突部１３２ａが、対応する第２遮蔽部材１２２の長孔１２２ｃに摺動自在に挿通されている。すなわち、第３ラック１３２が上下方向に移動することで、係合突部１３２ｃに長孔１２２ｃを介して係合する第２遮蔽部材１２２が待機位置と作動位置との間を揺動するよう構成される。実施例では、係合突部１３２ａが最下端に至ったときに、図１０に示す如く、上下の第１遮蔽部材１２１,１２１が相互に離間して待機位置に位置すると共に、第２遮蔽部材１２２,１２２が縦向き姿勢となる待機位置に位置し、係合突部１３２ａが最上端に至ったときに、図１１に示す如く、上下の第１遮蔽部材１２１,１２１が相互に近接して作動位置に位置すると共に、第２遮蔽部材１２２,１２２が横向き姿勢となる作動位置に位置するようになっている。なお、第２遮蔽部材１２２,１２２は、相互に近接・離間移動する一対の第１遮蔽部材１２１,１２１の間を揺動する際に、各第１遮蔽部材１２１,１２１と干渉しないよう構成されると共に、作動位置においては下側の第１遮蔽部材１２１の上側に略隙間なく位置するよう構成されている。
【００５２】
前記下側の第１遮蔽部材１２１の上面には、図１０(ｂ)に示す如く、後縁部から上方に突出する規制壁１２１ａが設けられており、前記作動位置において第２遮蔽部材１２２における本体部１２２ａの下端部が規制壁１２１ａの前側に重なるように構成されている。すなわち、装置本体１０４に対して腕部１２２ｂが片持ち支持されている第２遮蔽部材１２２の自由端部側である本体部１２２ａが後方に変位するのを規制壁１２１ａで規制し得るようになっている。
【００５３】
前記一方(第２駆動モータ１２３の配設側とは反対側)の第１ラック１２６に検出片１２６ａが設けられると共に、該検出片１２６ａを検出可能な位置センサ(電気部品)１３３が装置本体１０４に配設されている。実施例では、第１遮蔽部材１２１(第１可動部材１１９)が待機位置に臨む状態で、位置センサ１３３が検出片１２６ａを検出するよう構成される。そして、位置センサ１３３が配線を介して接続されるサブ制御手段１６２は、位置センサ１３３が検出状態となったときに第１遮蔽部材１２１(第１可動部材１１９)が待機位置にあることを認識し、この状態で第２駆動モータ１２３を停止制御することで、該第１遮蔽部材１２１(第１可動部材１１９)を待機位置に位置決め停止し得るよう構成される。なお、第２駆動モータ１２３としてはパルスモータが用いられており、位置センサ１３３が検出片１２６ａを検出している位置を基準として、サブ制御手段１６２が第２駆動モータ１２３をパルス制御することで、第１遮蔽部材１２１(第１可動部材１１９)を作動位置に位置決め停止し得るよう構成される。
【００５４】
(第２動作演出装置Ｎ２について)
前記装置本体１０４には、可動体開口部１０４ａより右外側位置に第２動作演出装置(演出装置)Ｎ２が配設されている。第２動作演出装置Ｎ２は、図１２に示すように、発光用基板(電気部品,発光装置)１３４を内蔵した第２可動部材(第２の可動部材)１３５と、該第２可動部材１３５を待機位置および作動位置の間を往復移動させる第３駆動モータ(第３駆動手段,電気部品)１３６と、該第３駆動モータ１３６および第２可動部材１３５が配設される台座部１３７とを備えてユニット化されており、台座部１３７を装置本体１０４の前面(前半体１０８)に位置決め固定することで第２動作演出装置Ｎ２が装置本体１０４に取り付けられる。第２動作演出装置Ｎ２は、第３駆動モータ１３６の駆動に応じて、第２可動部材１３５が装置本体１０４(前半体１０８)の前側を前記図柄表示装置１８の表示部１８ａに沿って揺動するよう構成されている。また、第２可動部材１３５は、待機位置において前半体１０８における可動体開口部１０４ａより右側部分の前側に略全体が位置するのに対し、作動位置では可動体開口部１０４ａの前側に延出して図柄表示装置１８の表示部１８ａの前側に重なるように位置して、該第２可動部材１３５によって表示部１８ａの一部を隠し得るよう構成されている(図２５参照)。なお、第２可動部材１３５の待機位置において、図２に示す如く、該第２可動部材１３５の一部が前記枠状装飾体２９の窓口２９ａの内側に臨んで前側から視認可能に構成してある。
【００５５】
ここで、前記第２動作演出装置Ｎ２を装置本体１０４の前面に配設することで、該第２動作演出装置Ｎ２の第２可動部材１３５は、装置本体１０４の内部(前半体１０８と後半体１０９との間)に配設された前記第１動作演出装置Ｎ１の第１可動部材１１９とは前後の関係で位置し、該第２可動部材１３５の動作時には第１可動部材１１９の前側を移動するよう構成される。具体的には、第１可動部材１１９が作動位置に位置する状態において、図１３,図２１に示す如く、待機位置の第２可動部材１３５は前記可動体開口部１０４ａに延出している下側の第１遮蔽部材１２１および第２遮蔽部材１２２,１２２の前側に重ならず、該第２可動部材１３５が作動位置に移動することで、図２４に示す如く、可動体開口部１０４ａに延出している下側の第１遮蔽部材１２１および第２遮蔽部材１２２,１２２の前側に重なるようになっている。
【００５６】
前記第２可動部材１３５は、前記台座部１３７に長手方向の一端が前後方向に延在する揺動軸を介して回動自在に枢支された第１可動体１３９と、該第１可動体１３９の延出端部に前後方向の軸回りに回動自在に枢支された第２可動体１４０とで構成される。第１可動体１３９の基端部には、前記揺動軸１３８を中心とする円弧状に形成されたギヤ部が設けられ、該ギヤ部が台座部１３７に回動自在に枢支された駆動ギヤに噛合するよう構成される。この駆動ギヤは、台座部１３７に配設された前記第３駆動モータ１３６に連結されており、第３駆動モータ１３６の正転駆動および逆転駆動によって、駆動ギヤを介して第２可動部材１３５が揺動軸を中心として所要角度範囲で揺動するよう構成される。実施例の第２可動部材１３５は、第１可動体１３９が腕、第２可動体１４０が手を模した形状に形成されて、第２可動部材１３５が待機位置から作動位置に移動することで、作動位置に臨む前記第１可動部材１１９に向けてパンチを繰り出す形態を表わし得るようになっている。なお、第１可動体１３９および第２可動体１４０は、表面が光透過性の樹脂材料により形成されている。また、第１可動体１３９および第２可動体１４０の夫々に、ＬＥＤ等の発光体を実装した前記発光用基板１３４が内蔵されており、該発光体を発光することで可動体１３９,１４０を発光装飾し得るよう構成される。
【００５７】
前記第１可動体１３９の内部に、該第１可動体１３９の動作に連動して第２可動体１４０を作動するリンク機構が配設されており、第１可動体１３９が揺動する所定時期にリンク機構によって第１可動体１３９に対して第２可動体１４０が更に揺動する動作を行い得るよう構成してある。なお、第１可動体１３９に対して第２可動体１４０を回動自在に枢支する軸に対して第２可動体１４０は遊嵌されており、リンク機構によって第２可動体１４０は前後方向に傾くように揺動することで、前記図柄表示装置１８の表示部１８ａに対して前後方向に近接離間するよう構成されている。また、第１可動体１３９には、右端部に板金部材１３９ｂが配設されている。
【００５８】
前記台座部１３７には、待機位置の第２可動部材１３５における第１可動体１３９の右側方に臨む位置に磁石１４２が配設されており、該磁石１４２に、待機位置に到達した第２可動部材１３５(第１可動体１３９)の前記板金部材１３９ｂが磁力吸着されることで、該第２可動部材１３５を確実に待機位置で保持し得るよう構成される(図１２(ｂ)参照)。また、台座部１３７には、第１可動体１３９に設けた検出片を検出可能なフォトセンサ等の原位置センサ(電気部品)１４３(図２５参照)が配設されており、該原位置センサ１４３は前記サブ制御手段１６２に配線を介して接続されている。そして、原位置センサ１４３が検出片を検出する位置が第２可動部材１３５の待機位置とされており、検出片を原位置センサ１４３が検出している状態では、第２可動部材１３５が待機位置にあることをサブ制御手段１６２が認識し、この状態で第３駆動モータ１３６を停止制御することで、該第２可動部材１３５を待機位置に位置決め停止し得るよう構成される。なお、第３駆動モータ１３６としてはパルスモータが用いられており、原位置センサ１４３が検出片１３９ｃを検出している位置を基準として、サブ制御手段１６２が第３駆動モータ１３６をパルス制御することで、第２可動部材１３５を作動位置に位置決め停止し得るよう構成されている。
【００５９】
(第１引張りコイルバネ１４４について)
前記可動演出装置Ｅでは、装置本体１０４に、前記第２動作演出装置Ｎ２が可動開口部１０４ａの右側、すなわち装置本体１０４の回動中心(揺動中心)から側方に偏倚する位置に配設されることで(図１３参照)、当該装置本体１０４の重心は、揺動中心から側方に偏倚するようになっている。すなわち、前記設置部材１９に対して装置本体１０４は、重心から偏倚した位置で前後方向の軸回りに回動可能に支持されており、当該装置本体１０４に外力が加わらない状態では、第２動作演出装置Ｎ２の配設部位が下方(重心が回動中心の直下)に位置する姿勢で安定し、前記原点位置では常に装置本体１０４は自重によって第１位置に向けて回動する力が加わっている。実施例では、重心から偏倚した位置で回動軸回りに回動可能に支持された装置本体１０４の構成において、該装置本体１０４を原点位置に保持するための手段として第１引張りコイルバネ(付勢手段)１４４が設けられている。
【００６０】
すなわち、図１３に示す如く、前記設置部材１９における原点位置の装置本体１０４の第２動作演出装置Ｎ２が配設されている位置の上方である右上隅部に、固定側バネ係止部１４５が設けられ、該固定側バネ係止部１４５に一端が係止された第１引張りコイルバネ１４４の他端が、装置本体１０４の重心が偏倚する側である右側部に設けた可動側バネ係止部１４６に係止(連繋)されている。第１引張りコイルバネ１４４の付勢力は、装置本体１０４を軸回りの一方、実施例では逆転方向に移動する向きに作用するよう構成される。そして、第２動作演出装置Ｎ２を回動中心に対して偏倚して配設することにより装置本体１０４を軸回りの他方、実施例では正転方向に移動する向きに作用する力と、第１引張りコイルバネ１４４の付勢力とが均衡した状態で、当該装置本体１０４が原点位置に保持されるよう構成してある。
【００６１】
ここで、前記装置本体１０４の原点位置では、該装置本体１０４の重心は、右側部に偏倚しており、装置本体１０４を原点位置から第１位置に移動することで重心は下方に移動し、原点位置から第２位置に移動することで重心は上方に移動するようになっている。そして、前記第１引張りコイルバネ１４４は、装置本体１０４が原点位置から第１位置に移動することで重心が下方に移動する際には下方に引っ張られることで(図１４参照)、該装置本体１０４を原点位置に向けて付勢する付勢力が大きくなる。これに対し、装置本体１０４が原点位置から第２位置に移動することで重心が上方に移動する際には、該装置本体１０４の自重によって正転方向に移動する力と均衡していた第１引張りコイルバネ１４４は徐々に縮むことで付勢力が減少するようになっている(図１５参照)。そして、実施例では、装置本体１０４の第２位置において、第１引張りコイルバネ１４４による装置本体１０４を逆転方向に移動する付勢力がなくなるように設定されている。
【００６２】
(可動側中継基板１４７について)
前記可動演出装置Ｅの前記装置本体１０４における下部収容空間Ｓ２に、可動側中継基板１４７が配設されており、該可動側中継基板１４７に、前記装置本体１０４に配設された電気部品である前記第３駆動モータ１３６、第１可動部材１１９および第２可動部材１３５に配設された各発光用基板１１８,１３４、位置センサ１３３、原位置センサ１４３に接続する各配線がコネクタ接続されている。そして、該可動側中継基板１４７にコネクタ接続される中継用配線が、前記設置部材１９に配設した固定側中継基板(基板)１４８にコネクタ接続されるよう構成される。なお、実施例では前記第２駆動モータ１２３に一端がコネクタ接続される配線は、可動側中継基板１４７を介することなく直接固定側中継基板１４８にコネクタ接続されている。実施例では、可動側中継基板１４７にコネクタ接続される複数の中継用配線および第２駆動モータ１２３にコネクタ接続される配線は、後述する配線保持部材１４９によって纏められた後に固定側中継基板１４８まで引き回されるようになっているので(図１３参照)、これら複数の中継用配線および配線が纏められた配線群について配線Ｈとして指称する場合がある。
【００６３】
前記装置本体１０４の前半体１０８における前壁の下部収容空間Ｓ２に対応する位置に、配線用開口１０８ａが前後方向に開放するよう形成されている(図６参照)。また前壁には、配線用開口１０８ａの前側を覆うように配線保持部材１４９が配設されており、前記可動側中継基板１４７に一端がコネクタ接続された複数の中継用配線は、配線用開口１０８ａを介して下部収容空間Ｓ２から前方に引き出された後に、配線保持部材１４９で纏められるように構成される。また、前記第２駆動モータ１２３にコネクタ接続される配線についても、装置本体１０４の収容空間内を引き回された後に配線用開口１０８ａを介して下部収容空間Ｓ２から前方に引き出されて、配線保持部材１４９で中継用配線と纏められている。そして、配線保持部材１４９で纏められた配線Ｈは、該配線保持部材１４９の左端部から左方に引き出されるよう構成されている。
【００６４】
(固定側中継基板１４８について)
前記設置部材１９の裏側には、設置開口部１９ｄの下側における左右方向の略中央位置に固定側中継基板１４８が配設されており、該固定側中継基板１４８に、前記配線Ｈがコネクタ接続される。そして、該固定側中継基板１４８に接続する中継用配線が、前記サブ制御手段１６２に接続されるようになっている。なお、設置部材１９の背壁１９ａには、後述する配線保持ユニット１５０の配設位置から右方(固定側中継基板１４８の配設側)に離間する位置に、図１３に示す如く、前後方向に開放する配線用の挿通口１９ｅが形成されており、該配線保持ユニット１５０を経た配線Ｈは、設置部材１９の背壁１９ａの前側を挿通口１９ｅまで引き回された後に、該挿通口１９ｅを介して設置部材１９の裏側に引き出されて固定側中継基板１４８に接続されるように構成される。
【００６５】
(配線保持ユニット１５０について)
図１３に示す如く、前記設置部材１９の背壁１９ａにおける左下隅部の前側に、配線保持ユニット１５０が配設されている。この配線保持ユニット１５０は、図１６,図１７に示す如く、前方に開口する箱状に形成されたベース部材１５２と、該ベース部材１５２の前開口を塞ぐようにベース部材１５２に着脱自在に取り付けられるカバー部材(画成部材)１５３とからユニット本体１５１が構成されており、配線保持ユニット１５０は、ユニット本体１５１が設置部材１９に対して着脱自在に配設されるように構成してある。ベース部材１５２は、板状の基壁１５２ａの外周縁に前方に延出する側壁１５２ｂを立設して箱状に形成されており、板状のカバー部材１５３の裏面を側壁１５２ｂの前面に当接した状態で該カバー部材１５３をベース部材１５２に取り付けることで、両部材１５２,１５３の間(ユニット本体１５１内)に前記配線Ｈが引き回される引回し空間１５４を画成するよう構成される。
【００６６】
前記ベース部材１５２の基壁１５２ａは、図１６に示す如く、右上部において右方に延出する延出部１５２ｃが設けられ、該延出部１５２ｃにおける上端縁および右端縁においては側壁１５２ｂが形成されておらず、これによってユニット本体１５１に、右上隅部において上方および右方に開口する第１配線挿通口１５５が形成される。また、延出部１５２ｃの下側に臨む基壁１５２ａの右下部において側壁１５２ｂが所定長さで切欠かれており、これによってユニット本体１５１に、右下部において右方に開口する第２配線挿通口１５６が形成される。すなわち、ユニット本体１５１には、該ユニット本体１５１の設置部材１９の配設位置に対して前記配線保持部材１４９および固定用中継基板１４８を向く側に、上下に離間して配線挿通口１５５,１５６が設けられている。そして、前記配線保持部材１４９で纏められた配線Ｈは、ユニット本体１５１に対して第１配線挿通口１５５から引回し空間１５４に導入されると共に、第２配線挿通口１５６を介して引回し空間１５４から導出されて、その後に前記固定側中継基板１４８まで引き回されるよう構成される。なお、第１配線挿通口１５５は、図１３に示す如く、前記装置本体１０４の原点位置において、配線保持部材１４９の略真横に位置しており、配線保持部材１４９から右方向に引き回される配線Ｈは略真っ直ぐな状態で第１配線挿通口１５５から引回し空間１５４に導入されるようになっている。
【００６７】
(配線支持部材１５７について)
前記配線保持ユニット１５０に、前記引回し空間１５４に導入された配線Ｈを支持する配線支持部材１５７が配設されている。すなわち、配線支持部材１５７は、図１６,図１７に示す如く、前記配線保持部材１４９で纏められた配線Ｈが、前記固定用中継基板１４８に接続されるまでの引回し経路に配設され、該引回し経路を引き回される配線Ｈの途中を該配線支持部材１５７で支持し得るよう構成される。この配線支持部材１５７は、前記ベース部材１５２の基壁１５２ａに突設した軸部１５２ｄに回転自在に枢支されている。なお、軸部１５２ｄは、前記可動演出装置Ｅにおける装置本体１０４の回動軸線(揺動軸線)と平行に延在しており、配線支持部材１５７は、装置本体１０４と平行な軸回りに回動可能に構成されている。
【００６８】
前記配線支持部材１５７は、前記軸部１５２ｄに枢支される枢支部１５７ａと、該枢支部１５７ａにおける後端(基壁側)から径方向外方に延在する保護壁(保護部)１５７ｂと、該保護壁１５７ｂにおける延出端部(配線支持部材１５７の自由端部)において前方に突出する支持部１５７ｃとを基本的に備えている。前記軸部１５２ｄは、ベース部材１５２における第２配線挿通口１５６が形成される右側の側壁１５２ｂから内側(左方)に所定長さだけ離間した位置において、第１配線挿通口１５５および第２配線挿通口１５６の間に臨んでおり、引回し空間１５４を引き回される配線Ｈにおける両配線挿通口１５５,１５６の間に臨む部位を前記支持部１５７ｃで支持可能に構成されている。具体的には、第１配線挿通口１５５から引回し空間１５４に導入された配線Ｈは、図１３に示す如く、配線支持部材１５７における支持部１５７ｃの左側を引き回された後に第２配線挿通口１５６から外部に引き出されている。すなわち、引回し空間１５４を引き回される配線Ｈにおける配線保持部材１４９を向く側が支持部１５７ｃに当接支持されるようになっている。
【００６９】
前記配線支持部材１５７には、前記枢支部１５７ａと支持部１５７ｃとの間に、前記保護壁１５７ｂから前方に突出する支持壁１５７ｄが設けられている。この支持壁１５７ｄは、図１３に示す如く、前記装置本体１０４が原点位置(待機位置)に位置する状態を基準として、第１配線挿通口１５５から離間する方向に凸となる弧状に形成されている。また支持部１５７ｃの前端には、前記カバー部材１５３に形成された長孔１５３ａを介して前方(外方)に突出する突出部１５７ｅが設けられている。カバー部材１５３の前側には、長孔１５３ａから左方に離間する位置(配線挿通口１５５,１５６から離間する位置)に係止部１５３ｂが設けられており、該係止部１５３ｂに一端が係止された付勢手段としての第２引張りコネルバネ１５８の他端が、長孔１５３ａから前方(外方)に突出する突出部１５７ｅに係止(連繋)されている。そして、配線支持部材１５７は、第２引張りコイルバネ１５８の付勢力によって常には支持部１５７ｃが第１配線挿通口１５５から離間する方向に付勢されるようになっている。すなわち、第１配線挿通口１５５から引回し空間１５４に導入されて第２配線挿通口１５６から外部に導出される配線Ｈの途中を支持部１５７ｃで支持している配線支持部材１５７を、第２引張りコイルバネ１５８の付勢力によって該支持部１５７ｃで支持している配線Ｈを張った状態とする方向に付勢するよう構成される。また、第２引張りコイルバネ１５８を、図１８,図１９,図２０に示す如く、配線保持ユニット１５０において配線Ｈが引き回される引回し空間１５４の外側に配置することで、該第２引張りコイルバネ１５８と配線Ｈとの干渉を防止するようになっている。なお、カバー部材１５３には、第１配線挿通口１５５からの離間距離が異なるように複数の係止部１５３ｂが設けられており、第２引張りコイルバネ１５８の一端を係止する係止部１５３ｂを変えることで、配線支持部材１５７に作用する付勢力を調節し得るよう構成してある。
【００７０】
前記カバー部材１５３に形成される長孔１５３ａは、第１配線挿通口１５５に対する近接離間方向(配線支持部材１５７の支持部１５７ｃの移動方向)に延在すると共に、前記配線支持部材１５７が軸部１５２ｄを中心として所定角度囲範で揺動する際の突出部１５７ｅの軌跡と干渉しない形状に形成されている。言い替えると、長孔１５３ａにおける長手方向の両端部に突出部１５７ｅが当接して位置規制される範囲において、配線支持部材１５７が揺動し得るようになっている。そして、配線支持部材１５７は、突出部１５７ｅが長孔１５３ａにおける第１配線挿通口１５５から最も離間する第１端部１５３ｃに当接した状態で、前記第２引張りコイルバネ１５８による付勢力が最も弱くなり、突出部１５７ｅが長孔１５３ａにおける第１配線挿通口１５５に最も近接する第２端部１５３ｄに当接した状態で、前記第２引張りコイルバネ１５８による付勢力が最も強くなるよう構成される。実施例では、長孔１５３ａの第１端部(カバー部材１５３における長孔１５３ａを画成する壁)１５３ｃが、第２引張りコイルバネ１５８の付勢力によって配線支持部材１５７が回動(移動)するのを規制する規制手段として機能している。
【００７１】
前記配線支持部材１５７は、前記装置本体１０４が原点位置にある状態では、突出部１５７ｅが長孔１５３ａの第１端部１５３ｃに当接して移動規制される姿勢となる。そして、装置本体１０４が原点位置から第２位置に向けて移動するのに伴い前記配線保持部材１４９で保持されている配線Ｈが右方に引っ張られることで、図１５に示す如く、該配線Ｈを支持している支持部１５７ｃが前記第２引張りコイルバネ１５８の付勢力に抗して第１配線挿通口１５５に近接する方向に移動するように配線支持部材１５７が回動するよう構成される。また、装置本体１０４が第２位置から原点位置に移動する際には、配線Ｈを支持している支持部１５７ｃが第２引張りコイルバネ１５８の付勢力によって第１配線挿通口１５５から離間する方向に移動するように配線支持部材１５７が回動することで、配線Ｈを張った状態のまま元の位置に戻し得るようになっている。すなわち、装置本体１０４が原点位置と第２位置との間を移動するのに伴って移動する配線Ｈに第２引張りコイルバネ１５８の付勢力を付与して張った状態に保持することができ、該配線Ｈが意図しない方向に屈曲するのを規制し得るようになっている。なお、突出部１５７ｅが長孔１５３ａの第１端部１５３ｃに当接して移動規制された姿勢では、前記支持部１５７ｃは、当該配線支持部材１５７の回動中心より上側に位置するよう構成されており、装置本体１０４が原点位置から第２位置に移動するのに伴って右方に引っ張られる配線Ｈによって配線支持部材１５７がスムーズに回動して、該配線Ｈに大きな負荷が加わることがないようになっている。
【００７２】
前記装置本体１０４の第２位置において、配線支持部材１５７の突出部１５７ｅは、前記長孔１５３ａの第２端部１５３ｄに当接しないように設定されており、配線支持部材１５７の回動が規制された状態で配線Ｈが右方に引っ張られることがないようにしてある。また、装置本体１０４の第２位置において、配線支持材１５７の支持部１５７ｃは、図１５に示す如く、枢支部１５７ａの上方で第１配線挿通口１５５の左側方に位置し、該第１配線挿通口１５５から引回し空間１５４に導入される配線Ｈを曲折することなく支持し得るよう構成してある。
【００７３】
前記装置本体１０４が原点位置から第１位置に移動する際には、前記配線保持部材１４９で保持されている配線Ｈは、配線保持ユニット１５０の引回し空間１５４に押し込まれるように移動することで、長孔１５３ａの第１端部１５３ｃによって移動規制されている支持部１５７ｃから左方に配線Ｈが離間移動するよう構成される。前記保護壁１５７ｂは、図１４に示す如く、装置本体１０４が第１位置に移動した状態で支持部１５７ｃから離間した配線Ｈの後方への変位を規制し得る寸法で、支持部１５７ｃから径方向(配線支持部材１５７の移動方向に沿う方向の)外方に延出しており、支持部１５７ｃから離間した配線Ｈが保護壁１５７ｂとベース部材１５２の基壁１５２ａとの間に入り込むのを防止するようになっている。また保護壁１５７ｂは、装置本体１０４の原点位置から第２位置への移動に伴って引っ張られる配線Ｈによって配線支持部材１５７が回動する間においても該配線Ｈの後側に臨むように構成されており、支持部１５７ｃに支持されている配線Ｈについても保護壁１５７ｂとベース部材１５２の基壁１５２ａとの間に入り込むのを防止するよう構成される。すなわち、保護壁１５７ｂは、支持部１５７ｃで支持されている配線Ｈが、配線支持部材１５７の移動方向と交差する一方(実施例では後方)への変位を規制するべく機能している。
【００７４】
前記ベース部材１５２の基壁１５２ａには、前記軸部１５２ｄの配設位置より下側に、図１８,図１９に示す如く、後方に向けて凹む凹部１５２ｅが、前記第２配線挿通口１５６まで延在するように形成されている。また、ベース部材１５２には、凹部１５２ｅにおける第２配線挿通口１５６より内側に、該凹部１５２ｅの前端に後端を臨ませた配線規制部品１５９が着脱自在に取り付けられている。そして、引回し空間１５４から第２配線挿通口１５６を介して外部に引き出される直前の配線Ｈが、配線規制部品１５９によって前方への変位が規制された状態で凹部１５２ｅ内を引き回されるようになっている。すなわち、前記配線Ｈにおける配線支持部材１５７の支持部１５７ｃで支持されている部位から第２配線挿通口１５６までに至る部分において、第２配線挿通口側の配線Ｈが配線支持部材１５７の保護壁１５７ｂより後側に位置する凹部１５２ｅ内を引き回されるようにすることで、配線Ｈが保護壁１５７ｂの前面から前方に浮き上がるのを防ぐようにしている。また、ベース部材１５２の基壁１５２ａには、図１３,図１６に示す如く、第２配線挿通口１５６の上端縁から内方に所定長さで延在する案内壁１５２ｆが設けられている。この案内壁１５２ｆは、前記軸部１５２ｄの下方まで延在すると共に、該軸部１５２ｄの下側に位置する端部が上向きに湾曲するよう形成されており、装置本体１０４の第２位置への移動に際して引っ張られる配線Ｈを支持部１５７ｃに向けて円滑に案内し得るよう構成される。
【００７５】
なお、実施例では、配線Ｈにおいて前記配線規制部品１５９によって前方への変位が規制されている部位は、前記装置本体１０４の第１位置と第２位置との回動に際して左右方向に移動しないように保持される。そして、引回し空間１５４内を引き回されている配線Ｈは、配線規制部品１５９で保持されている部位から前記第１配線挿通口１５５までの部分が移動することで装置本体１０４の回動を許容するようになっている。これにより、装置本体１０４の回動に際して、ユニット本体１５１から引き出されて設置部材１９の前面や裏面を引き回されている配線Ｈが移動したり折曲するのは防止されている。
【００７６】
(遊技情報表示部Ｍについて)
前記遊技盤１３の所定位置(実施例では、遊技領域１３ａ外の右下部位置)には、前記メイン制御手段５７により決定された各種の遊技情報を表示する遊技情報表示部Ｍが設けられており、当該遊技情報表示部Ｍを確認することで、遊技に必要な遊技情報を適宜に確認し得るようになっている。遊技情報表示部Ｍには、前記第１始動入賞口５３ａおよび第２始動入賞口５３ｂへの入賞を契機として行われる特図当り判定(特図当り抽選)の結果を示す報知用の特別図柄を特定可能に表示する特図表示部(表示手段)１６０Ａ,１６０Ｂが設けられる(図２５参照)。特図表示部１６０Ａ,１６０Ｂは、第１始動入賞口５３ａへの入賞(第１始動入賞検出スイッチ５６ａの検出)を契機として、複数種類の特別図柄の変動表示を開始する第１特図表示部１６０Ａと、第２始動入賞口５３ｂへの入賞(第２始動入賞検出スイッチ５６ｂの検出)を契機として、複数種類の特別図柄の変動表示を開始する第２特図表示部１６０Ｂとから構成される。そして、前記各始動入賞口５３ａ,５３ｂへのパチンコ球の入賞を契機として、対応する特図表示部１６０Ａ,１６０Ｂの変動表示が行われ、最終的に複数種類の特別図柄の内の１つを表示するようになっている。また、特図表示部１６０Ａ,１６０Ｂの何れかに、大当り表示としての特別図柄が表示されることで、当り表示に対応した大当り遊技(遊技者に利益を与えることが可能な遊技)が引き続いて遊技者に付与されるようになっている。
【００７７】
前記遊技情報表示部Ｍには、前記球通過検出スイッチ６９Ａ,６９Ｂのパチンコ球の検出(球通過ゲート６７,８０のパチンコ球の通過)を契機として行われる普図当り判定(普図当り抽選)の結果を示す報知用の普通図柄を特定可能に表示する普図表示部(表示手段)１６１が設けられる(図２５参照)。普図表示部１６１は、球通過検出スイッチ６９Ａ,６９Ｂのパチンコ球の検出(球通過ゲート６７,８０の始動口６７ａ,８０ａに対するパチンコ球の通過(入球))を契機として、複数種類の普通図柄を変動表示させて１つの普通図柄を導出する変動表示が行われるようになっている。そして、普図表示部１６１に当り表示としての普通図柄が表示されることで、当り表示に対応して前記始動入賞装置５２の始動入賞ソレノイド５５が駆動制御されて開閉部材５４が開閉動作するようになっている。
【００７８】
(パチンコ機の制御構成について)
次に、パチンコ機１０の制御構成について簡単に説明する。実施例のパチンコ機１０には、図２５に示す如く、パチンコ機１０を全体的に制御するメイン制御手段５７と、該メイン制御手段５７からの制御信号に基づいて各制御対象を制御するサブ制御手段１６２とが設けられている。すなわち、メイン制御手段５７では、パチンコ機１０に備えられた各種検出スイッチ(検出手段)からの検出信号に基づいて各種処理が実行され、その処理結果に応じた各種の制御信号(制御コマンド)がサブ制御手段１６２に出力されるようになっている。そして、サブ制御手段１６２は、メイン制御手段７２が出力した制御信号(制御コマンド)に基づいて、前記図柄表示装置１８、可動演出装置Ｅ、発光装置１１８,１３４およびスピーカ１６３を制御するよう構成されており、パチンコ機１０で実行される各種遊技演出(図柄変動演出や発光演出、音声演出)をサブ制御手段１６２が統括的にコントロールし得るようになっている。
【００７９】
前記メイン制御手段５７は、制御処理を実行するメイン制御ＣＰＵ、該メイン制御ＣＰＵが実行する制御プログラムを記憶するメイン制御ＲＯＭ、当該メイン制御ＣＰＵの処理に必要なデータの書込み・読出しが可能なメイン制御ＲＡＭ等が備えられている。そして、前記始動入賞検出スイッチ５６ａ,５６ｂ、特別入賞検出スイッチ９５、普通入賞検出スイッチ７４ａ,７４ｂ、球通過検出スイッチ６９Ａ,６９Ｂ等の各種スイッチが前記メイン制御手段５７に接続されている。また、メイン制御手段５７には、遊技情報表示部Ｍの各表示部(第１および第２特図表示部１６０Ａ,１６０Ｂ、普図表示部１６１)が接続されて、各検出スイッチ５６ａ,５６ｂ,６９Ａ,６９Ｂの検出を契機としてメイン制御手段５７で実行された制御処理に基づいて、遊技情報表示部Ｍの各表示部１６０Ａ,１６０Ｂ,１６１の表示制御が実行されるようになっている。また、メイン制御手段５７には、前記第２始動入賞口５３ｂを開閉する開閉部材５４に連繋する始動入賞ソレノイド５５および特別入賞口８５を開閉する開閉扉９２に連繋する特別入賞ソレノイド９３が接続されており、該メイン制御手段５７での制御処理結果に基づいて各ソレノイド５５,９３を駆動させることで、対応する開閉部材５４や開閉扉９２が開閉するようになっている。
【００８０】
前記メイン制御手段５７は、前記第１始動入賞口５３ａまたは第２始動入賞口５３ｂへパチンコ球が入賞したこと(より具体的には第１始動入賞検出スイッチ５６ａまたは第２始動入賞検出スイッチ５６ｂがパチンコ球を検出したこと)を契機として特図当りか否かを判定する特図当り抽選を実行するよう設定される。ここで、前記特図当り抽選は、各始動入賞検出スイッチ５６ａ,５６ｂからパチンコ球の検出信号が入力された時点において、メイン制御手段５７に予め設定された多数種類の乱数値(特図当り判定用)の内から１つを取得する乱数抽選が行われ、該取得した乱数値(特図当り判定用)に基づいて特図当りを発生するか否かを決定する。またメイン制御手段５７は、前記第１球通過ゲート６７または第２球通過ゲート８０をパチンコ球が通過したこと(より具体的には第１球通過検出スイッチ６９Ａまたは第２球通過検出スイッチ６９Ｂがパチンコ球を検出したこと)を契機として普図当りか否かを判定する普図当り抽選を実行するよう設定される。ここで、前記普図当り抽選は、各球通過検出スイッチ６９Ａ,６９Ｂからパチンコ球の検出信号が入力された時点において、メイン制御手段５７に予め設定された多数種類の乱数値(普図当り判定用)の内から１つを取得する乱数抽選が行われ、該取得した乱数値(普図当り判定用)に基づいて普図当りを発生するか否かを決定する。すなわち、メイン制御手段５７は、第１始動入賞口５３ａまたは第２始動入賞口５３ｂにパチンコ球が入賞した特定条件が成立したときに、特図当り(当り)か否かの判定を行う特図当り判定手段(当り判定手段)としての機能を有する。またメイン制御手段５７は、第１球通過ゲート６７または第２球通過ゲート８０をパチンコ球が通過した特定条件が成立したときに、普図当り(当り)か否かの判定を行う普図当り判定手段(当り判定手段)としての機能を有する。
【００８１】
前記サブ制御手段１６２には、制御処理を実行するサブ制御ＣＰＵ、該サブ制御ＣＰＵが実行する制御プログラムを記憶するサブ制御ＲＯＭ、当該サブ制御ＣＰＵの処理に必要なデータの書込み・読出しが可能なサブ制御ＲＡＭ等が備えられている。前記サブ制御ＲＯＭには、前記図柄表示装置１８の図柄変動演出において実行する図柄変動演出の具体的な演出内容および可動演出装置Ｅや動作演出装置Ｎ１,Ｎ２の具体的な動作内容を特定する演出パターンが記憶されており、サブ制御手段１６２は、該サブ制御手段１６２が決定した演出パターンで特定される演出内容を図柄表示装置１８で表示するように該図柄表示装置１８を制御する。すなわち、サブ制御手段１６２は、図柄表示装置１８で実行される表示演出を制御する表示制御手段としての機能を有している。また、サブ制御手段１６２には、前記原点用センサ１１６、移動位置用センサ１１７、位置センサ１３３、原位置センサ１４３が接続されており、該サブ制御手段１６２は、各センサ１１６,１１７,１３３,１４３の検出状態(検出、非検出の状態)によって、対応する装置本体１０４や各可動部材１１９,１３５の位置および姿勢を把握し得るようになっている。更に、サブ制御手段１６２には、前記第１駆動モータ１０５、第２駆動モータ１２３、第３駆動モータ１３６が接続されており、該サブ制御手段１６２が決定した演出パターンに基づいて各駆動モータ１０５,１２３,１３６を駆動制御することで、当該演出パターンで特定される動作を可動演出装置Ｅや動作演出装置Ｎ１,Ｎ２で実行し得るよう構成されている。すなわち、サブ制御手段１６２は、可動演出装置Ｅおよび動作演出装置Ｎ１,Ｎ２が備える駆動モータ１０５,１２３,１３６を駆動制御する駆動制御手段としての機能を有している。
【００８２】
前記サブ制御ＲＯＭに記憶されている演出パターンは、前記可動演出装置Ｅにおける装置本体１０４の位置に応じた３種類に大別されており、該装置本体１０４の原点位置において実行可能な基準演出パターンと、装置本体１０４の第１位置において実行可能な第１演出パターンおよび装置本体１０４の第２位置において実行可能な第２演出パターンとがある。基準演出パターンは、原点位置において装置本体１０４に配設されている前記第１可動部材１１９の基準姿勢によって形成される演出領域および変化演出領域の形状(正面から見た状態での形(姿勢))に対応して図柄表示装置１８の表示部１８ａに変動表示される表示が左右に傾かない基準状態で表示される演出パターンであり、第１演出パターンは、第１位置において装置本体１０４の第１可動部材１１９の右傾斜姿勢によって形成可能な演出領域および変化演出領域の形状(姿勢)に対応して図柄表示装置１８の表示部１８ａに変動表示される表示も右に傾く右傾斜状態で表示される演出パターンであり、第２演出パターンは、第２位置において装置本体１０４の第１可動部材１１９の左傾斜姿勢によって形成可能な演出領域および変化演出領域の形状(姿勢)に対応して図柄表示装置１８の表示部１８ａに変動表示される表示も左に傾く左傾斜状態で表示される演出パターンである。すなわち、図柄表示装置１８の表示部１８ａに変動表示される表示の状態を、可動演出装置Ｅにおける装置本体１０４の停止位置(第１可動部材１１９の姿勢)に応じて切り替えるようにサブ制御手段１６２が図柄表示装置１８を制御することで、該表示部１８ａに変動表示される表示の状態と第１可動部材１１９の姿勢によって形成される演出領域や変化演出領域の形状(姿勢)とが齟齬しないよう構成される。なお、基準演出パターン、第１演出パターンおよび第２演出パターンの夫々は、演出内容が異なる複数種類の演出パターンが設定されている。
【００８３】
(実施例の作用)
次に、前述のように構成された実施例に係るパチンコ機１０の作用につき説明する。
【００８４】
前記前枠１４の前面側に設けられた前記操作ハンドル１７の操作レバー１７ａを遊技者が回転操作すると、前記打球発射装置から発射されたパチンコ球が前記遊技盤１３に設けた案内レール２１により画成された発射通路２２を介して遊技領域１３ａ内に打ち出される。このとき、前記操作レバー１７ａの回動量に応じてパチンコ球の打ち出し位置が変化し、打ち出し位置に応じて遊技領域１３ａの第１経路３０ａまたは第２経路３０ｂをパチンコ球が流下する。
【００８５】
前記遊技領域１３ａにおける第１経路３０ａに対応する位置に配設された前記第１サイド装飾体５８は、最上部に前記第１球通過ゲート６７を備えており、第１経路３０ａを流下するパチンコ球が第１球通過ゲート６７を通過すると、該パチンコ球の通過を第１球通過検出スイッチ６９Ａが検出する。第１球通過検出スイッチ６９Ａから球検出信号が前記メイン制御手段５７に入力されると、該メイン制御手段５７は、普図当りか否かを判定する普図当り抽選を実行する。そして、普図当り抽選の結果が当選の場合は、メイン制御手段５７は前記始動入賞ソレノイド５５を駆動制御することで前記開閉部材５４を開閉動作する。これにより、始動入賞装置５２の第２始動入賞口５３ｂへのパチンコ球の入賞が可能となる。
【００８６】
前記パチンコ機１０において、前記操作ハンドル１７の操作レバー１７ａを回転操作して打球発射装置によるパチンコ球の打球力を高め、前記第２経路３０ｂに向けてパチンコ球を打ち出す「右打ち」を行うと、第２経路３０ｂに打ち出されたパチンコ球は、前記枠状装飾体２９における右側の庇部２９ｄの外周面に沿って第２経路３０ｂを流下する。前記遊技領域１３ａにおける第２経路３０ｂに対応する位置に配設された前記第２サイド装飾体７５は、上部に前記第２球通過ゲート８０を備えており、第２経路３０ｂを流下するパチンコ球が第２球通過ゲート８０の始動口８０ａを通過すると、該パチンコ球の通過を第２球通過検出スイッチ６９Ｂが検出する。第２球通過検出スイッチ６９Ｂから球検出信号が前記メイン制御手段５７に入力されると、該メイン制御手段５７は、普図当りか否かを判定する普図当り抽選を実行する。そして、普図当り抽選の結果が当選の場合は、メイン制御手段５７は前記始動入賞ソレノイド５５を駆動制御することで前記開閉部材５４を開閉動作する。これにより、始動入賞装置５２の第２始動入賞口５３ｂへのパチンコ球の入賞が可能となる。
【００８７】
(可動演出装置Ｅの作用)
前記原点用センサ１１６が原点用検出片１０４ｃを検出している可動演出装置Ｅにおける装置本体１０４の原点位置では、装置本体１０４に配設された前記第１動作演出装置Ｎ１の第１可動部材１１９は前記基準姿勢となっている。また装置本体１０４の原点位置では、前記枠状装飾体２９の窓口２９ａには、図２に示す如く、右側縁部に前記第２動作演出装置Ｎ２の第２可動部材１３５の一部が露出した状態となっている。そして、装置本体１０４を原点位置に保持した状態で、前記第２駆動モータ１２３の駆動によって第１動作演出装置Ｎ１の第１可動部材１１９が動作されると、前記第１遮蔽部材１２１,１２１が枠状装飾体２９の窓口２９ａにおける上下端縁から基準姿勢のまま相互に近接することで、窓口２９ａを介して前記図柄表示装置１８の表示部１８ａが見える領域が狭くなる。また、第２駆動モータ１２３により第１可動部材１１９が動作される際には、前記第２遮蔽部材１２２,１２２が両第１遮蔽部材１２１,１２１の間に側方から回動しつつ入り込んで下側の第１遮蔽部材１２１の上側に接触するように位置することで、窓口２９ａを介して表示部１８ａが見える領域(変化演出領域)は、図２１に示すように僅かとなる。この状態において、前記サブ制御手段１６２は、前記基準演出パターンに基づいて図柄表示装置１８を制御して、表示部１８ａに基準演出パターンに対応する図柄変動演出を実行することで、遊技者は第１可動部材１１９が待機位置において広い領域(装置本体１０４の可動体開口部１０４ａで規定される演出領域)に表示される表示演出とは異なる趣のある演出を楽しむことができる。
【００８８】
前記装置本体１０４の原点位置において、前記第１駆動モータ１０５を正転方向に回転駆動すると、前記駆動ギヤ１０６と装置本体１０４に設けた歯部１０７との噛合作用下に、装置本体１０４が前記複数の案内ローラ１１１,１１３で案内されて第１位置に向けて回動し、前記原点用検出片１０４ｃが移動位置用センサ１１７で検出されたときに、前記サブ制御手段１６２が第１駆動モータ１０５を停止制御することで、装置本体１０４は、前記第１可動部材１１９が右傾斜姿勢となった状態で第１位置に保持される。装置本体１０４を第１位置に停止保持した状態で、前記第２駆動モータ１２３の駆動によって第１動作演出装置Ｎ１の第１可動部材１１９が動作されると、前記第１遮蔽部材１２１,１２１が枠状装飾体２９の窓口２９ａにおける右斜め上および左斜め下の端縁から右傾斜姿勢のまま相互に近接することで、窓口２９ａに現れる第１可動部材１１９の遮蔽部材１２１,１２１,１２２,１２２で画成される変化演出領域は右傾斜した形状(姿勢)となる(図２２参照)。またサブ制御手段１６２は、第１可動部材１１９の姿勢変化によって変化演出領域の形状(姿勢)が変わるのに合わせて右傾斜する向きの表示演出を、図柄表示装置１８の表示部１８ａで実行することで、遊技者は第１可動部材１１９が基準姿勢で形成される変化演出領域に表示される表示演出とは異なる趣のある演出を楽しむことができる。そして、装置本体１０４の第１位置において、前記第１駆動モータ１０５を逆転方向に回転駆動すると、前記駆動ギヤ１０６と歯部１０７との噛合作用下に、装置本体１０４が原点位置に向けて回動し、前記原点用検出片１０４ｃが原点用センサ１１６で検出されたときに、前記サブ制御手段１６２が第１駆動モータ１０５を停止制御することで、装置本体１０４は原点位置に保持される。
【００８９】
前記装置本体１０４の原点位置において、前記第１駆動モータ１０５を逆転方向に回転駆動すると、前記駆動ギヤ１０６と歯部１０７との噛合作用下に、装置本体１０４が前記複数の案内ローラ１１１,１１３で案内されて第２位置に向けて回動し、前記移動位置用検出片１０４ｄが移動位置用センサ１１７で検出されたときに、前記サブ制御手段１６２が第１駆動モータ１０５を停止制御することで、装置本体１０４は、前記第１可動部材１１９が左傾斜姿勢となった状態で第２位置に保持される。そして、装置本体１０４を第２位置に停止保持した状態で、前記第２駆動モータ１２３の駆動によって第１動作演出装置Ｎ１の第１可動部材１１９が動作されると、前記第１遮蔽部材１２１,１２１が枠状装飾体２９の窓口２９ａにおける左斜め上および右斜め下の端縁から左傾斜姿勢のまま相互に近接することで、窓口２９ａに現れる第１可動部材１１９の遮蔽部材１２１,１２１,１２２,１２２で画成される変化演出領域は左傾斜した形状(姿勢)となる(図２３参照)。またサブ制御手段１６２は、第１可動部材１１９の姿勢変化によって変化演出領域の形状(姿勢)が変わるのに合わせて左傾斜する向きの表示演出を、図柄表示装置１８の表示部１８ａで実行することで、遊技者は第１可動部材１１９が基準姿勢や右傾斜姿勢で形成される変化演出領域に表示される表示演出とは異なる趣のある演出を楽しむことができる。そして、装置本体１０４の第２位置において、前記第１駆動モータ１０５を正転方向に回転駆動すると、駆動ギヤ１０６と歯部１０７との噛合作用下に、装置本体１０４が原点位置に向けて回動し、前記原点用検出片１０４ｃが原点用センサ１１６で検出されたときに、前記サブ制御手段１６２が第１駆動モータ１０５を停止制御することで、装置本体１０４は原点位置に保持される。
【００９０】
すなわち、可動演出装置Ｅの装置本体１０４を停止する原点位置、第１位置および第２位置によって、前記第１可動部材１１９における第１遮蔽部材１２１,１２１および第２遮蔽部材１２２,１２２の進退移動方向が変化するので、該第１可動部材１１９の動作によってインパクトのある興趣の高い演出を行うことができる。また、装置本体１０４の位置は、前記原点用センサ１１６および移動位置用センサ１１７によってサブ制御手段１６２は把握しているので、原点用センサ１１６および移動位置用センサ１１７による対応する検出片１０４ｃ,１０４ｄの検出信号に基づいて第１駆動モータ１０５を停止制御することで、第１可動部材１１９の進退移動方向を制御することができる。更に、前記第１可動部材１１９を作動位置に保持したまま、装置本体１０４を第１位置と第２位置との間で揺動することで、該第１可動部材１１９の遮蔽部材１２１,１２１,１２２,１２２で画成される変化演出領域の向きが変化するので、よりインパクトのある演出を行うことができ、興趣を一層向上し得る。
【００９１】
前記図柄表示装置１８の表示部１８ａの前側を移動する第１可動部材１１９の移動方向が、装置本体１０４の位置によって変化すると共に、該第１可動部材１１９の移動方向の変化に合わせて表示部１８ａで表示される表示演出の向きも変化するようにしたので、表示部１８ａで行われる表示演出と第１可動部材１１９の動作とによって、より興趣の高い演出を行うことができる。また、装置本体１０４の停止位置に応じて表示部１８ａで実行される表示演出の向きも切り替えているので、該表示演出と第１可動部材１１９の移動方向との関係で齟齬が生ずることはなく、興趣が低下することはない。
【００９２】
また、前記装置本体１０４には可動体開口部１０４ａより右側に偏って第２動作演出装置Ｎ２が配設されており、該第２動作演出装置Ｎ２の第２可動部材１３５の姿勢も、装置本体１０４の位置によって変化する。すなわち、装置本体１０４に対して回動自在に枢支されている第２可動部材１３５は、装置本体１０４の原点位置においては前記枠状装飾体２９の窓口２９ａの右側部から中央部に向けて移動する(図２４参照)。これに対し、装置本体１０４の第１位置においては枠状装飾体２９の窓口２９ａの右下側部から中央部に向けて第２可動部材１３５が移動し、装置本体１０４の第２位置においては枠状装飾体２９の窓口２９ａの右上側部から中央部に向けて第２可動部材１３５が移動する。このように、装置本体１０４の位置によって第２可動部材１３５の姿勢や移動方向が変化するので、１つの可動部材１３５によって多様な動作演出を行うことができる。なお、第２可動部材１３５は、待機位置においては前記板金部材１３９ｂが磁石１４２に磁力吸着されて安定的に保持されるので、装置本体１０４が移動する際に不用意に第２可動部材１３５が変位してしまうのは防止される。
【００９３】
また、前記第２可動部材１３５は、前記作動位置に位置した下側の第１遮蔽部材１２１および第２遮蔽部材１２２,１２２の前側に重ならない待機位置(図２)と重なる作動位置(図２４)との間を回動するので、第２可動部材１３５と第１遮蔽部材１２１および第２遮蔽部材１２２,１２２が前後に重なることによる演出効果が得られる。実施例では、第１遮蔽部材１２１,１２１および第２遮蔽部材１２２,１２２からなる第１可動部材１１９は、作動位置においてトラックを模した形状となるのに対し、第２可動部材１３５は手および腕を模した形状に形成されているので、第２可動部材１３５を待機位置から作動位置に回動することで、トラック(第１可動部材１１９)に対して手(第２可動部材１３５)でパンチする形態を表現することができ、面白みのある演出によって遊技の興趣を向上し得る。更には、第１可動部材１１９の動作と第２可動部材１３５の動作とを関連付けることで、更に興趣のある演出が可能となる。例えば、作動位置に位置する第１可動部材１１９に対して第２可動部材１３５を待機位置から作動位置に回動したときに、第１可動部材１１９を作動位置から待機位置に移動することで、トラック(第１可動部材１１９)に対して手(第２可動部材１３５)でパンチした際にトラック(第１可動部材１１９)が破壊された形態を表現することができる。
【００９４】
前記装置本体１０４は、複数の第１ローラ１１１によって支持されているので、該装置本体１０４は安定して回動することができる。また、装置本体１０４の原点位置では、前記第２ローラ１１３が、装置本体１０４に設けた位置決め凹部１１０ｂに係合するので(図８参照)、該装置本体１０４を原点位置に安定して保持することができる。
【００９５】
(第１引張りコイルバネ１４４の作用)
ここで、前記可動演出装置Ｅの装置本体１０４に第２動作演出装置Ｎ２が右側に偏って配設されることで、該装置本体１０４の原点位置において、第２動作演出装置Ｎ２の重量分の力が装置本体１０４を正転する方向に加わっている。このように、前後方向の軸回りに回動可能に支持される装置本体１０４において重心位置が回動軸中心から偏倚していると、装置本体１０４を原点位置に保持するために第１駆動モータ１０５の回転を規制する機構を設ける必要があり、駆動機構が複雑となる。しかるに、実施例のパチンコ機１０では、図１３に示す如く、前記設置部材１９と装置本体１０４との間に前記第１引張りコイルバネ１４４を張設し、原点位置において装置本体１０４を正転方向に回動する向きに作用する力と、該第１引張りコイルバネ１４４の付勢力とが均衡した状態となるよう構成してあるので、第１駆動モータ１０５の停止時に該第１駆動モータ１０５に装置本体１０４の荷重が作用することはなく、装置本体１０４を原点位置に停止した際に第１駆動モータ１０５に掛かる負荷を軽減することができる。すなわち、第１駆動モータ１０５の停止状態を維持するための複雑な機構を設ける必要はなく、構成を簡略化し得る。
【００９６】
前記第１駆動モータ１０５を正転駆動して装置本体１０４を第１位置に向けて移動する際には、図１４に示す如く、前記第１引張りコイルバネ１４４が引っ張られることで、装置本体１０４を原点位置に向けて付勢する付勢力が大きくなる。しかし、装置本体１０４の原点位置においては、前述したように装置本体１０４を第１位置に向けて回動する力と、第１引張りコイルバネ１４４の付勢力とが均衡しているので、装置本体１０４を原点位置から第１位置に移動する初期に第１駆動モータ１０５に加わる負荷は小さく、第１駆動モータ１０５に作用する負荷を軽減し得る。また、装置本体１０４を原点位置から第２位置に向けて移動する際には、装置本体１０４の右側に偏って配置されている第２動作演出装置Ｎ２を引き上げるため、第１駆動モータ１０５に加わる負荷は大きくなるが、このとき前記第１引張りコイルバネ１４４は徐々に縮むことで付勢力が減少するものの該付勢力は装置本体１０４を原点位置に向けて移動する方向に作用するので、該付勢力に補助されることで第１駆動モータ１０５に加わる負荷は軽減される。すなわち、第１位置の装置本体１０４を原点位置に復帰させる際に必要となる第１駆動モータ１０５の駆動力を軽減し得るので、小型の第１駆動モータ１０５を採用することが可能となり、設置スペースを小さくし得ると共にコストを低減することができる。
【００９７】
実施例のパチンコ機１０では、前記第１引張りコイルバネ１４４の付勢力は、装置本体１０４が第２位置に到来したときに該装置本体１０４に作用しなくなるように設定されている(図１５参照)。言い替えるなら、装置本体１０４を原点位置から第２位置に移動する際には、第１引張りコイルバネ１４４の付勢力によって第１駆動モータ１０５の駆動力を補助することができ、該第１駆動モータ１０５に加わる負荷を軽減し得る。更に、装置本体１０４を第２位置から原点位置に移動する際には、前記第２動作演出装置Ｎ２の重量が装置本体１０４を原点位置に移動する方向に加わるので、装置本体１０４を第２位置から原点位置に移動する際に必要となる第１駆動モータ１０５の駆動力は小さくて済み、該モータ１０５に加わる負荷を軽減し得る。
【００９８】
すなわち、実施例のパチンコ機１０は、装置本体１０４に対して回動中心から偏倚した位置に第２動作演出装置Ｎ２を配設することで、アンバランスな構成によって興趣のある演出を行い得る構成としたもとで、装置本体１０４を移動する第１駆動モータ１０５に加わる負荷を軽減することができる。
【００９９】
(配線支持部材１５７の作用)
次に、前記可動演出装置Ｅの装置本体１０４の回動に伴う配線支持部材１５７の作用につき説明する。
図１３に示すように、前記装置本体１０４が原点位置に位置する状態において、該装置本体１０４に設けた前記配線保持部材１４９で纏められて左方に延在する配線Ｈは、前記配線保持ユニット１５０のユニット本体１５１に対して第１配線挿通口１５５から引回し空間１５４内に導入されている。そして、引回し空間１５４内において配線Ｈは、前記配線支持部材１５７における支持部１５７ｃの左側を回った後にユニット本体１５１の第２配線挿通口１５６から外部右方に導出され、該配線Ｈは前記設置部材１９の背壁１９ａに形成した挿通口１９ｅから裏側に引き回されて前記固定用中継基板１４８に接続される。すなわち、引回し空間１５４内において配線Ｈは、図１３に示す如く、右方に開口する略Ｕ字状に湾曲するように延在して、該配線Ｈの湾曲部分が支持部１５７ｃで支持されている。また、装置本体１０４の原点位置において、前記第２引張りコイルバネ１５８によって回動付勢されている配線支持部材１５７の突出部１５７ｅは、前記カバー部材１５３の長孔１４３ａにおける第１端部１５３ｃに当接して位置規制されており、該第２引張りコイルバネ１５８の付勢力によって配線Ｈが必要以上に引っ張られることはない。従って、装置本体１０４の原点位置において配線Ｈが必要以上に引っ張られることで、該配線Ｈの各基板１４７,１４８に対するコネクタ接続部が外れる問題が発生するのを確実に防止し得る。
【０１００】
前記装置本体１０４が原点位置から第１位置に向けての移動を開始すると、前記配線保持部材１４９で保持されている配線Ｈは、配線保持ユニット１５０の引回し空間１５４に押し込まれるように移動することで、図１４に示す如く、長孔１５３ａの第１端部１５３ｃによって移動規制されている支持部１５７ｃから左方に配線Ｈが離間移動する。このとき、前記配線支持部材１５７に設けた保護壁１５７ｂが配線Ｈの後側に位置して、支持部１５７ｃから離間した配線Ｈの後方への変位が該保護壁１５７ｂによって規制され、該配線Ｈが保護壁１５７ｂと前記ベース部材１５２の基壁１５２ａとの間に入り込むのを防止することができる。また、引回し空間１５４から第２配線挿通口１５６を介して外部に引き出される直前の配線Ｈは、前記配線規制部品１５９によって前記保護壁１５７ｂより後側に支持されており(図１９参照)、支持部１５７ｃから離れた配線Ｈが保護壁１５７ｂの前面から前方に浮き上がるのを防ぐことができる。すなわち、配線Ｈが保護壁１５７ｂから大きく浮き上がることで意図しない形状に屈曲してしまい、装置本体１０４が原点位置に戻る際に抵抗となったりするのを防ぐことができる。
【０１０１】
次に、前記装置本体１０４が原点位置と第２位置との間を回動する場合につき説明する。装置本体１０４が原点位置から第２位置に向けての移動を開始すると、図１５に示す如く、前記配線保持部材１４９で保持されて装置本体１０４に従動する配線Ｈに牽引されて配線支持部材１５７が支持部１５７ｃを第１配線挿通口１５５へ近づけるように回動を開始する。このとき、配線支持部材１５７には前記第２引張りコイルバネ１５８の付勢力が支持部１５７ｃで支持している配線Ｈを張る方向に加わっているので、配線Ｈは張った状態を保ちつつ移動することで、該配線Ｈが意図しない方向に屈曲することはない。装置本体１０４が第２位置に至った状態では、前記配線支持部材１５７の突出部１５７ｅは、前記カバー部材１５３の長孔１５３ａにおける第２端部１５３ｄには当接しない位置に位置している。すなわち、装置本体１０４が原点位置から第２位置まで回動する間は、前記第２引張りコイルバネ１５８の付勢力が配線Ｈにかかっているのみで、配線支持部材１５７の回動が規制されて大きな抵抗が加ることはない。
【０１０２】
前記装置本体１０４が第２位置から原点位置に向けての回動を開始すると、前記配線保持部材１４９で保持されている配線Ｈは左方に向けて押されて移動する。このとき、配線Ｈを支持している配線支持部材１５７は、第２引張りコイルバネ１５８の付勢力によって前記支持部１５７ｃが第１配線挿通口１５５から離間する方向に回動付勢されることで、該支持部１５７ｃに支持されている配線Ｈは張った状態のまま左方に移動し、移動中に意図しない方向に屈曲することはない。
【０１０３】
すなわち、装置本体１０４が原点位置と第２位置との間を回動する間は、該装置本体１０４と共に移動する配線Ｈは、前記第２引張りコイルバネ１５８の付勢力によって常に張る状態に保持されているので、装置本体１０４の回動に際して配線Ｈが意図しない方向に屈曲するのを規制して、配線Ｈが装置本体１０４に絡まるのを防ぐことができる。従って、装置本体１０４の動作が配線Ｈによって阻害されたり、該配線Ｈの各基板１４７,１４８に対するコネクタ接続部が外れる問題が発生するのを確実に防止し得る。また、前記第２引張りコイルバネ１５８は、配線Ｈが引き回されている引き回し空間１５４の外部に配設されているので、該第２引張りコイルバネ１５８が配線Ｈと干渉したり引っ掛かったりすることはない。
【０１０４】
(変更例)
本願は前述した実施例の構成に限定されるものではなく、その他の構成を適宜に採用することができる。
(1) 実施例では、配線を張った状態に保持するための付勢手段として引張りコイルバネを用いたが、配線支持部材を配線が張った状態となる方向に付勢し得るものであれば、捻りコイルバネ等のその他のバネやゴム等の弾性を有する手段であってもよい。
(2) 実施例では、配線を支持する配線支持部材を回動自在に配設し、装置本体の回動に伴って移動する配線に追従して配線支持部材が回動することで、該配線を常に支持した状態に維持するよう構成したが、該配線支持部材を直線的に移動自在に配設し、装置本体の回動に伴って移動する配線に追従して配線支持部材が直線的に往復移動することで配線を支持する状態を維持する構成を採用し得る。
(3) 実施例では、配線支持部材における軸方向の一方にのみ保護壁を設けたが、該配線支持部材において配線が支持される部位を挟む軸方向の両側に保護壁を設け、一対の保護壁によって配線が配線支持部材の移動方向と交差する方向へ変位するのを規制するようにしてもよい。
(4) 実施例では、配線支持部材の移動を規制する規制手段として、該配線支持部材の突出部が挿通される長孔を画成する壁を用いたが、該規制手段は、配線支持部材が移動する経路上に設けられた突部であってもよく、該突部に当接することで配線支持部材が移動規制されるようになっていればよい。
(5) 実施例では、ユニット本体の内部に配線支持部材を配設したが、設置部材の背壁に配線支持部材の支持部(軸部)を設けると共に、該背壁と対向するように画成部材を設置部材に配設し、背壁と画成部材との間に配線の引回し空間を画成する構成を採用し得る。
(6) 実施例では、電気部品が配設される装置本体が回動する場合で説明したが、該装置本体が設置部材の背壁に沿って上下方向や左右方向に直線移動するものであってもよく、または装置本体が背壁に対して前後方向に移動するものであってもよい。そして、配線支持部材は、装置本体の移動方向等に応じて配線支持部材の移動方向を設定すればよい。
【０１０５】
(7) 実施例では、装置本体を前後方向の軸回りに回動可能に配設した場合で説明したが、該装置本体が上下方向の軸回り回動可能に配設された構成であってもよい。
(8) 実施例では、装置本体の重心が、第２動作演出装置を回動中心から偏倚した位置に配設することで回動中心から偏倚する構成で説明したが、装置本体自体の形状によって重心が回動中心から偏倚する構成であってもよい。
(9) 装置本体に作用する力との均衡を原点位置で保つための付勢手段としては、実施例の引張りコイルバネに限らず、ゴム等であってもよい。
【０１０６】
(10) 実施例では装置本体を枠状に形成したが、該装置本体は長方形状やコ字形状等、演出領域の周りを回動可能な形状であれば形状は限定されない。
(11) 実施例では装置本体に配設される第１可動部材として、４つの遮蔽部材を備えたものを挙げたが、遮蔽部材は１つ、２つ、３つあるいは５つ以上であってもよい。
(12) 実施例では、装置本体が３つの位置で停止するよう構成したが、該装置本体が停止する位置は３つに限らず２つまたは４つ以上であってもよい。また、装置本体は、所定角度範囲で揺動する構成に限らず、１回転以上で回転する構成であってもよい。
(13) 実施例では、装置本体の停止位置に応じて図柄表示装置の表示部で表示される図柄変動演出のパターンを切り替えるようにしたが、図柄表示装置の図柄変動演出のみでなく発光装置での発光演出やスピーカでの音演出を切り替えるようにしてもよい。
(14) 実施例では、装置本体を、設置部材に配設した複数のローラで移動自在に支持するよう構成したが、装置本体の外周に複数のローラを回転自在に配設し、該ローラが設置部材(設置部)に設けたレールに沿って移動する構成を採用し得る。
(15) 実施例では、装置本体に設けた歯部に噛合する駆動ギヤを駆動モータで回転駆動することで装置本体を回動するよう構成したが、駆動モータの駆動によって作動するリンク機構やカム機構等の連繋手段によって装置本体を回動(移動)する構成であってもよい。
(16) 実施例では、第１可動部材が備える４つの遮蔽部材を１つの駆動モータの駆動によって移動するよう構成したが、第１遮蔽部材と第２遮蔽部材とを別々の駆動モータ(駆動手段)で移動したり、または各遮蔽部材が夫々独立した駆動モータによって移動する構成を採用し得る。
【０１０７】
(17) 実施例では、装置本体の前側に第２可動部材を配設して、該第２可動部材を第１可動部材の前側に重なり得るよう構成したが、該第２可動部材を装置本体の後側に配設し、第２可動部材を第１可動部材の後側に重なることが可能に構成してもよい。
(18) 実施例では、装置本体に、第１可動部材に対して前後の関係で重なることが可能な１つの第２可動部材を配設したが、第２可動部材を装置本体に複数配設する構成を採用し得る。また、第２可動部材は、第１可動部材の前側に重なるものと後側に重なるものとを装置本体に配設するようにしてもよい。
(19) 実施例では、装置本体を原点位置で保持する第２ローラを装置本体に向けて付勢する付勢手段として第２ローラを回転自在に支持する弾性部材を用いたが、第２ローラを回転自在に保持する部材を、バネやゴム等の手段で付勢する構成を採用し得る。
(20) 実施例では、メイン制御手段とサブ制御手段とで分けて各種制御を行うようにしたが、メイン制御手段で行う制御をサブ制御手段で行うようにしたり、逆にサブ制御手段が行う制御をメイン制御手段で行うようにしてもよい。すなわち、メイン制御手段とサブ制御手段とを分けることなく１つの制御手段で、パチンコ機の全体を制御する構成を採用し得る。
(21) 遊技機としては、パチンコ機に限られるものではなく、アレンジボール機やパチンコ球を用いたスロットマシン等、その他各種の遊技機であってもよい。
【符号の説明】
【０１０８】
１０４  装置本体(可動体)
１０５  第１駆動モータ(駆動手段)
１４４  第１引張りコイルバネ(付勢手段)
Ｅ  可動演出装置
Ｎ２  第２動作演出装置(演出装置)
【図１】
2014239773.tif 000003
【図２】
2014239773.tif 000004
【図３】
2014239773.tif 000005
【図４】
2014239773.tif 000006
【図５】
2014239773.tif 000007
【図６】
2014239773.tif 000008
【図７】
2014239773.tif 000009
【図８】
2014239773.tif 000010
【図９】
2014239773.tif 000011
【図１０】
2014239773.tif 000012
【図１１】
2014239773.tif 000013
【図１２】
2014239773.tif 000014
【図１３】
2014239773.tif 000015
【図１４】
2014239773.tif 000016
【図１５】
2014239773.tif 000017
【図１６】
2014239773.tif 000018
【図１７】
2014239773.tif 000019
【図１８】
2014239773.tif 000020
【図１９】
2014239773.tif 000021
【図２０】
2014239773.tif 000022
【図２１】
2014239773.tif 000023
【図２２】
2014239773.tif 000024
【図２３】
2014239773.tif 000025
【図２４】
2014239773.tif 000026
【図２５】
2014239773.tif 000027